(57)【特許請求の範囲】
【請求項１】
DVB-T2（Digital Video Broadcasting - Terrestrial 2）規格の受信信号のうちのＰ１信号を用いて、前記受信信号におけるスペクトル反転の発生の有無を検出するスペクトル反転検出手段と、
少なくとも前記スペクトル反転検出手段により前記スペクトル反転の発生の有りが検出された場合、前記受信信号に対してスペクトル反転処理を行うスペクトル反転手段と、
前記スペクトル反転検出手段により前記スペクトル反転の発生の有りが検出された場合、前記スペクトル反転処理が行われた前記受信信号を復調し、前記スペクトル反転の無しが検出された場合、前記スペクトル反転処理が行われていない前記受信信号を復調する復調手段と、
前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値を求める相関手段と、
前記受信信号において前記スペクトル反転が発生しているものとして、前記周波数の差分だけ前記受信信号の周波数をシフトした信号と、前記受信信号との相関値を求める反転相関手段と
を備え、
前記スペクトル反転検出手段は、前記受信信号が前記Ｐ１信号である場合に、前記相関手段により求められた前記相関値の絶対値の最大値と、前記反転相関手段により求められた前記相関値の絶対値の最大値の比較結果に基づいて、前記スペクトル反転の発生の有無を検出する
受信装置。
【請求項２】
前記スペクトル反転手段は、前記スペクトル反転の発生の有無の検出結果によらず、常に前記受信信号に対して前記スペクトル反転処理を行う
請求項１に記載の受信装置。
【請求項３】
前記相関手段および前記反転相関手段により求められた前記相関値の絶対値のうちの大きい方が最大値である場合に、前記受信信号が前記Ｐ１信号であることを検出するＰ１検出手段
をさらに備え、
前記スペクトル反転検出手段は、前記Ｐ１検出手段により前記受信信号が前記Ｐ１信号であることが検出された場合に、前記スペクトル反転の発生の有無を検出する
請求項１に記載の受信装置。
【請求項４】
前記復調手段は、
前記Ｐ１検出手段により前記受信信号が前記Ｐ１信号であることが検出されたタイミングに基づいて、前記スペクトル反転検出手段により前記スペクトル反転の発生の有りが検出された場合、前記スペクトル反転処理が行われた前記受信信号に対するFFT演算を行い、前記スペクトル反転の無しが検出された場合、前記スペクトル反転処理が行われていない前記受信信号に対するFFT演算を行うFFT演算手段
を備え、
前記FFT演算手段は、前記Ｐ１検出手段により前記受信信号が前記Ｐ１信号であることが検出されるたびに、前記FFT演算をリセットする
請求項３に記載の受信装置。
【請求項５】
DVB-T2（Digital Video Broadcasting - Terrestrial 2）規格の受信信号を受信する受信装置が、
前記受信信号のうちのＰ１信号を用いて、前記受信信号におけるスペクトル反転の発生の有無を検出するスペクトル反転検出ステップと、
少なくとも前記スペクトル反転検出ステップの処理により前記スペクトル反転の発生の有りが検出された場合、前記受信信号に対してスペクトル反転処理を行うスペクトル反転ステップと、
前記スペクトル反転検出ステップの処理により前記スペクトル反転の発生の有りが検出された場合、前記スペクトル反転処理が行われた前記受信信号を復調し、前記スペクトル反転の無しが検出された場合、前記スペクトル反転処理が行われていない前記受信信号を復調する復調ステップと、
前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値を求める相関ステップと、
前記受信信号において前記スペクトル反転が発生しているものとして、前記周波数の差分だけ前記受信信号の周波数をシフトした信号と、前記受信信号との相関値を求める反転相関ステップと
を含み、
前記スペクトル反転検出ステップでは、前記受信信号が前記Ｐ１信号である場合に、前記相関ステップの処理により求められた前記相関値の絶対値の最大値と、前記反転相関ステップの処理により求められた前記相関値の絶対値の最大値の比較結果に基づいて、前記スペクトル反転の発生の有無を検出する
受信方法。
【請求項６】
DVB-T2（Digital Video Broadcasting - Terrestrial 2）規格の受信信号の受信を制御する処理を実行するコンピュータに、
前記受信信号のうちのＰ１信号を用いて、前記受信信号におけるスペクトル反転の発生の有無を検出するスペクトル反転検出ステップと、
少なくとも前記スペクトル反転検出ステップの処理により前記スペクトル反転の発生の有りが検出された場合、前記受信信号に対してスペクトル反転処理を行うスペクトル反転ステップと、
前記スペクトル反転検出ステップの処理により前記スペクトル反転の発生の有りが検出された場合、前記スペクトル反転処理が行われた前記受信信号を復調し、前記スペクトル反転の無しが検出された場合、前記スペクトル反転処理が行われていない前記受信信号を復調する復調ステップと、
前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値を求める相関ステップと、
前記受信信号において前記スペクトル反転が発生しているものとして、前記周波数の差分だけ前記受信信号の周波数をシフトした信号と、前記受信信号との相関値を求める反転相関ステップと
を含み、
前記スペクトル反転検出ステップでは、前記受信信号が前記Ｐ１信号である場合に、前記相関ステップの処理により求められた前記相関値の絶対値の最大値と、前記反転相関ステップの処理により求められた前記相関値の絶対値の最大値の比較結果に基づいて、前記スペクトル反転の発生の有無を検出する
処理を実行させるプログラム。
【請求項７】
伝送路よりDVB-T2（Digital Video Broadcasting - Terrestrial 2）規格の信号を受信信号として取得する取得手段と、
前記取得手段により取得された前記受信信号に対して伝送路復号化処理を行う伝送路復号化処理手段と
を備え、
前記伝送路復号化処理手段は、
前記受信信号のうちのＰ１信号を用いて、前記受信信号におけるスペクトル反転の発生の有無を検出するスペクトル反転検出手段と、
少なくとも前記スペクトル反転検出手段により前記スペクトル反転の発生の有りが検出された場合、前記受信信号に対してスペクトル反転処理を行うスペクトル反転手段と、
前記スペクトル反転検出手段により前記スペクトル反転の発生の有りが検出された場合、前記スペクトル反転処理が行われた前記受信信号を復調し、前記スペクトル反転の無しが検出された場合、前記スペクトル反転処理が行われていない前記受信信号を復調する復調手段と、
前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値を求める相関手段と、
前記受信信号において前記スペクトル反転が発生しているものとして、前記周波数の差分だけ前記受信信号の周波数をシフトした信号と、前記受信信号との相関値を求める反転相関手段と
を備え、
前記スペクトル反転検出手段は、前記受信信号が前記Ｐ１信号である場合に、前記相関手段により求められた前記相関値の絶対値の最大値と、前記反転相関手段により求められた前記相関値の絶対値の最大値の比較結果に基づいて、前記スペクトル反転の発生の有無を検出する
受信システム。
【請求項８】
伝送路より取得したDVB-T2（Digital Video Broadcasting - Terrestrial 2）規格の受信信号に対して伝送路復号化処理を行う伝送路復号化処理手段と、
前記伝送路復号化処理手段による伝送路復号化処理後の前記受信信号に対して情報源復号化処理を行う情報源復号化処理手段と
を備え、
前記伝送路復号化処理手段は、
前記受信信号のうちのＰ１信号を用いて、前記受信信号におけるスペクトル反転の発生の有無を検出するスペクトル反転検出手段と、
少なくとも前記スペクトル反転検出手段により前記スペクトル反転の発生の有りが検出された場合、前記受信信号に対してスペクトル反転処理を行うスペクトル反転手段と、
前記スペクトル反転検出手段により前記スペクトル反転の発生の有りが検出された場合、前記スペクトル反転処理が行われた前記受信信号を復調し、前記スペクトル反転の無しが検出された場合、前記スペクトル反転処理が行われていない前記受信信号を復調する復調手段と、
前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値を求める相関手段と、
前記受信信号において前記スペクトル反転が発生しているものとして、前記周波数の差分だけ前記受信信号の周波数をシフトした信号と、前記受信信号との相関値を求める反転相関手段と
を備え、
前記スペクトル反転検出手段は、前記受信信号が前記Ｐ１信号である場合に、前記相関手段により求められた前記相関値の絶対値の最大値と、前記反転相関手段により求められた前記相関値の絶対値の最大値の比較結果に基づいて、前記スペクトル反転の発生の有無を検出する
受信システム。
【請求項９】
伝送路より取得したDVB-T2（Digital Video Broadcasting - Terrestrial 2）規格の受信信号に対して伝送路復号化処理を行う伝送路復号化処理手段と、
前記伝送路復号化処理手段による伝送路復号化処理後の前記受信信号に基づいて画像または音声を出力する出力手段と
を備え、
前記伝送路復号化処理手段は、
前記受信信号のうちのＰ１信号を用いて、前記受信信号におけるスペクトル反転の発生の有無を検出するスペクトル反転検出手段と、
少なくとも前記スペクトル反転検出手段により前記スペクトル反転の発生の有りが検出された場合、前記受信信号に対してスペクトル反転処理を行うスペクトル反転手段と、
前記スペクトル反転検出手段により前記スペクトル反転の発生の有りが検出された場合、前記スペクトル反転処理が行われた前記受信信号を復調し、前記スペクトル反転の無しが検出された場合、前記スペクトル反転処理が行われていない前記受信信号を復調する復調手段と、
前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値を求める相関手段と、
前記受信信号において前記スペクトル反転が発生しているものとして、前記周波数の差分だけ前記受信信号の周波数をシフトした信号と、前記受信信号との相関値を求める反転相関手段と
を備え、
前記スペクトル反転検出手段は、前記受信信号が前記Ｐ１信号である場合に、前記相関手段により求められた前記相関値の絶対値の最大値と、前記反転相関手段により求められた前記相関値の絶対値の最大値の比較結果に基づいて、前記スペクトル反転の発生の有無を検出する
受信システム。
【請求項１０】
伝送路より取得したDVB-T2（Digital Video Broadcasting - Terrestrial 2）規格の受信信号に対して伝送路復号化処理を行う伝送路復号化処理手段と、
前記伝送路復号化処理手段による伝送路復号化処理後の前記受信信号の記録を制御する記録制御手段と
を備え、
前記伝送路復号化処理手段は、
前記受信信号のうちのＰ１信号を用いて、前記受信信号におけるスペクトル反転の発生の有無を検出するスペクトル反転検出手段と、
少なくとも前記スペクトル反転検出手段により前記スペクトル反転の発生の有りが検出された場合、前記受信信号に対してスペクトル反転処理を行うスペクトル反転手段と、
前記スペクトル反転検出手段により前記スペクトル反転の発生の有りが検出された場合、前記スペクトル反転処理が行われた前記受信信号を復調し、前記スペクトル反転の無しが検出された場合、前記スペクトル反転処理が行われていない前記受信信号を復調する復調手段と、
前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値を求める相関手段と、
前記受信信号において前記スペクトル反転が発生しているものとして、前記周波数の差分だけ前記受信信号の周波数をシフトした信号と、前記受信信号との相関値を求める反転相関手段と
を備え、
前記スペクトル反転検出手段は、前記受信信号が前記Ｐ１信号である場合に、前記相関手段により求められた前記相関値の絶対値の最大値と、前記反転相関手段により求められた前記相関値の絶対値の最大値の比較結果に基づいて、前記スペクトル反転の発生の有無を検出する
受信システム。
【請求項１１】
DVB-T2（Digital Video Broadcasting - Terrestrial 2）規格の受信信号のうちのＰ１信号を用いて、前記受信信号におけるスペクトル反転の発生の有無を検出するスペクトル反転検出手段と、
少なくとも前記スペクトル反転検出手段により前記スペクトル反転の発生の有りが検出された場合、前記受信信号に対してスペクトル反転処理を行うスペクトル反転手段と、
前記スペクトル反転検出手段により前記スペクトル反転の発生の有りが検出された場合、前記スペクトル反転処理が行われた前記受信信号を復調し、前記スペクトル反転の無しが検出された場合、前記スペクトル反転処理が行われていない前記受信信号を復調する復調手段と、
前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値を求めるか、または、前記受信信号において前記スペクトル反転が発生しているものとして、前記周波数の差分だけ前記受信信号の周波数をシフトした信号と、前記受信信号との相関値を求める相関手段と、
前記相関手段により求められた前記相関値の絶対値が最大値である場合に、前記受信信号が前記Ｐ１信号であることを検出するＰ１検出手段と
を備え、
前記スペクトル反転検出手段は、前記Ｐ１検出手段により前記受信信号が前記Ｐ１信号であることが検出された場合に、前記相関手段により求められた前記相関値が、前記受信信号において前記スペクトル反転が発生していないものとして求められた相関値であるとき、前記スペクトル反転の発生の無しを検出し、前記スペクトル反転が発生しているものとして求められた相関値であるとき、前記スペクトル反転の発生の有りを検出する
受信装置。
【請求項１２】
前記復調手段は、
前記Ｐ１検出手段により前記受信信号が前記Ｐ１信号であることが検出されたタイミングに基づいて、前記スペクトル反転検出手段により前記スペクトル反転の発生の有りが検出された場合、前記スペクトル反転処理が行われた前記受信信号に対するFFT演算を行い、前記スペクトル反転の無しが検出された場合、前記スペクトル反転処理が行われていない前記受信信号に対するFFT演算を行うFFT演算手段
を備え、
前記FFT演算手段は、前記Ｐ１検出手段により前記受信信号が前記Ｐ１信号であることが検出されるたびに、前記FFT演算をリセットする
請求項１１に記載の受信装置。
【請求項１３】
DVB-T2（Digital Video Broadcasting - Terrestrial 2）規格の受信信号を受信する受信装置が、
前記受信信号のうちのＰ１信号を用いて、前記受信信号におけるスペクトル反転の発生の有無を検出するスペクトル反転検出ステップと、
少なくとも前記スペクトル反転検出ステップの処理により前記スペクトル反転の発生の有りが検出された場合、前記受信信号に対してスペクトル反転処理を行うスペクトル反転ステップと、
前記スペクトル反転検出ステップの処理により前記スペクトル反転の発生の有りが検出された場合、前記スペクトル反転処理が行われた前記受信信号を復調し、前記スペクトル反転の無しが検出された場合、前記スペクトル反転処理が行われていない前記受信信号を復調する復調ステップと、
前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値を求めるか、または、前記受信信号において前記スペクトル反転が発生しているものとして、前記周波数の差分だけ前記受信信号の周波数をシフトした信号と、前記受信信号との相関値を求める相関ステップと、
前記相関ステップの処理により求められた前記相関値の絶対値が最大値である場合に、前記受信信号が前記Ｐ１信号であることを検出するＰ１検出ステップと
を含み、
前記スペクトル反転検出ステップの処理では、前記Ｐ１検出ステップの処理により前記受信信号が前記Ｐ１信号であることが検出された場合に、前記相関ステップの処理により求められた前記相関値が、前記受信信号において前記スペクトル反転が発生していないものとして求められた相関値であるとき、前記スペクトル反転の発生の無しを検出し、前記スペクトル反転が発生しているものとして求められた相関値であるとき、前記スペクトル反転の発生の有りを検出する
受信方法。
【請求項１４】
DVB-T2（Digital Video Broadcasting - Terrestrial 2）規格の受信信号の受信を制御する処理を実行するコンピュータに、
前記受信信号のうちのＰ１信号を用いて、前記受信信号におけるスペクトル反転の発生の有無を検出するスペクトル反転検出ステップと、
少なくとも前記スペクトル反転検出ステップの処理により前記スペクトル反転の発生の有りが検出された場合、前記受信信号に対してスペクトル反転処理を行うスペクトル反転ステップと、
前記スペクトル反転検出ステップの処理により前記スペクトル反転の発生の有りが検出された場合、前記スペクトル反転処理が行われた前記受信信号を復調し、前記スペクトル反転の無しが検出された場合、前記スペクトル反転処理が行われていない前記受信信号を復調する復調ステップと、
前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値を求めるか、または、前記受信信号において前記スペクトル反転が発生しているものとして、前記周波数の差分だけ前記受信信号の周波数をシフトした信号と、前記受信信号との相関値を求める相関ステップと、
前記相関ステップの処理により求められた前記相関値の絶対値が最大値である場合に、前記受信信号が前記Ｐ１信号であることを検出するＰ１検出ステップと
を含み、
前記スペクトル反転検出ステップの処理では、前記Ｐ１検出ステップの処理により前記受信信号が前記Ｐ１信号であることが検出された場合に、前記相関ステップの処理により求められた前記相関値が、前記受信信号において前記スペクトル反転が発生していないものとして求められた相関値であるとき、前記スペクトル反転の発生の無しを検出し、前記スペクトル反転が発生しているものとして求められた相関値であるとき、前記スペクトル反転の発生の有りを検出する
処理を実行させるプログラム。
【請求項１５】
伝送路よりDVB-T2（Digital Video Broadcasting - Terrestrial 2）規格の信号を受信信号として取得する取得手段と、
前記取得手段により取得された前記受信信号に対して伝送路復号化処理を行う伝送路復号化処理手段と
を備え、
前記伝送路復号化処理手段は、
前記受信信号のうちのＰ１信号を用いて、前記受信信号におけるスペクトル反転の発生の有無を検出するスペクトル反転検出手段と、
少なくとも前記スペクトル反転検出手段により前記スペクトル反転の発生の有りが検出された場合、前記受信信号に対してスペクトル反転処理を行うスペクトル反転手段と、
前記スペクトル反転検出手段により前記スペクトル反転の発生の有りが検出された場合、前記スペクトル反転処理が行われた前記受信信号を復調し、前記スペクトル反転の無しが検出された場合、前記スペクトル反転処理が行われていない前記受信信号を復調する復調手段と、
前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値を求めるか、または、前記受信信号において前記スペクトル反転が発生しているものとして、前記周波数の差分だけ前記受信信号の周波数をシフトした信号と、前記受信信号との相関値を求める相関手段と、
前記相関手段により求められた前記相関値の絶対値が最大値である場合に、前記受信信号が前記Ｐ１信号であることを検出するＰ１検出手段と
を備え、
前記スペクトル反転検出手段は、前記Ｐ１検出手段により前記受信信号が前記Ｐ１信号であることが検出された場合に、前記相関手段により求められた前記相関値が、前記受信信号において前記スペクトル反転が発生していないものとして求められた相関値であるとき、前記スペクトル反転の発生の無しを検出し、前記スペクトル反転が発生しているものとして求められた相関値であるとき、前記スペクトル反転の発生の有りを検出する
受信システム。
【請求項１６】
伝送路より取得したDVB-T2（Digital Video Broadcasting - Terrestrial 2）規格の受信信号に対して伝送路復号化処理を行う伝送路復号化処理手段と、
前記伝送路復号化処理手段による伝送路復号化処理後の前記受信信号に対して情報源復号化処理を行う情報源復号化処理手段と
を備え、
前記伝送路復号化処理手段は、
前記受信信号のうちのＰ１信号を用いて、前記受信信号におけるスペクトル反転の発生の有無を検出するスペクトル反転検出手段と、
少なくとも前記スペクトル反転検出手段により前記スペクトル反転の発生の有りが検出された場合、前記受信信号に対してスペクトル反転処理を行うスペクトル反転手段と、
前記スペクトル反転検出手段により前記スペクトル反転の発生の有りが検出された場合、前記スペクトル反転処理が行われた前記受信信号を復調し、前記スペクトル反転の無しが検出された場合、前記スペクトル反転処理が行われていない前記受信信号を復調する復調手段と、
前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値を求めるか、または、前記受信信号において前記スペクトル反転が発生しているものとして、前記周波数の差分だけ前記受信信号の周波数をシフトした信号と、前記受信信号との相関値を求める相関手段と、
前記相関手段により求められた前記相関値の絶対値が最大値である場合に、前記受信信号が前記Ｐ１信号であることを検出するＰ１検出手段と
を備え、
前記スペクトル反転検出手段は、前記Ｐ１検出手段により前記受信信号が前記Ｐ１信号であることが検出された場合に、前記相関手段により求められた前記相関値が、前記受信信号において前記スペクトル反転が発生していないものとして求められた相関値であるとき、前記スペクトル反転の発生の無しを検出し、前記スペクトル反転が発生しているものとして求められた相関値であるとき、前記スペクトル反転の発生の有りを検出する
受信システム。
【請求項１７】
伝送路より取得したDVB-T2（Digital Video Broadcasting - Terrestrial 2）規格の受信信号に対して伝送路復号化処理を行う伝送路復号化処理手段と、
前記伝送路復号化処理手段による伝送路復号化処理後の前記受信信号に基づいて画像または音声を出力する出力手段と
を備え、
前記伝送路復号化処理手段は、
前記受信信号のうちのＰ１信号を用いて、前記受信信号におけるスペクトル反転の発生の有無を検出するスペクトル反転検出手段と、
少なくとも前記スペクトル反転検出手段により前記スペクトル反転の発生の有りが検出された場合、前記受信信号に対してスペクトル反転処理を行うスペクトル反転手段と、
前記スペクトル反転検出手段により前記スペクトル反転の発生の有りが検出された場合、前記スペクトル反転処理が行われた前記受信信号を復調し、前記スペクトル反転の無しが検出された場合、前記スペクトル反転処理が行われていない前記受信信号を復調する復調手段と、
前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値を求めるか、または、前記受信信号において前記スペクトル反転が発生しているものとして、前記周波数の差分だけ前記受信信号の周波数をシフトした信号と、前記受信信号との相関値を求める相関手段と、
前記相関手段により求められた前記相関値の絶対値が最大値である場合に、前記受信信号が前記Ｐ１信号であることを検出するＰ１検出手段と
を備え、
前記スペクトル反転検出手段は、前記Ｐ１検出手段により前記受信信号が前記Ｐ１信号であることが検出された場合に、前記相関手段により求められた前記相関値が、前記受信信号において前記スペクトル反転が発生していないものとして求められた相関値であるとき、前記スペクトル反転の発生の無しを検出し、前記スペクトル反転が発生しているものとして求められた相関値であるとき、前記スペクトル反転の発生の有りを検出する
受信システム。
【請求項１８】
伝送路より取得したDVB-T2（Digital Video Broadcasting - Terrestrial 2）規格の受信信号に対して伝送路復号化処理を行う伝送路復号化処理手段と、
前記伝送路復号化処理手段による伝送路復号化処理後の前記受信信号の記録を制御する
記録制御手段と
を備え、
前記伝送路復号化処理手段は、
前記受信信号のうちのＰ１信号を用いて、前記受信信号におけるスペクトル反転の発生の有無を検出するスペクトル反転検出手段と、
少なくとも前記スペクトル反転検出手段により前記スペクトル反転の発生の有りが検出された場合、前記受信信号に対してスペクトル反転処理を行うスペクトル反転手段と、
前記スペクトル反転検出手段により前記スペクトル反転の発生の有りが検出された場合、前記スペクトル反転処理が行われた前記受信信号を復調し、前記スペクトル反転の無しが検出された場合、前記スペクトル反転処理が行われていない前記受信信号を復調する復調手段と、
前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値を求めるか、または、前記受信信号において前記スペクトル反転が発生しているものとして、前記周波数の差分だけ前記受信信号の周波数をシフトした信号と、前記受信信号との相関値を求める相関手段と、
前記相関手段により求められた前記相関値の絶対値が最大値である場合に、前記受信信号が前記Ｐ１信号であることを検出するＰ１検出手段と
を備え、
前記スペクトル反転検出手段は、前記Ｐ１検出手段により前記受信信号が前記Ｐ１信号であることが検出された場合に、前記相関手段により求められた前記相関値が、前記受信信号において前記スペクトル反転が発生していないものとして求められた相関値であるとき、前記スペクトル反転の発生の無しを検出し、前記スペクトル反転が発生しているものとして求められた相関値であるとき、前記スペクトル反転の発生の有りを検出する
受信システム。
【発明の詳細な説明】
【技術分野】
【０００１】
本発明は、受信装置、受信方法、およびプログラム、並びに受信システムに関し、特に、スペクトル反転が発生した場合であっても、DVB-T2（Digital Video Broadcasting - Terrestrial 2）規格の受信信号を正確に復調することができるようにした受信装置、受信方法、およびプログラム、並びに受信システムに関する。
【背景技術】
【０００２】
地上デジタル放送の規格としては、例えばDVB-T2規格の策定が進められている(例えば、非特許文献１参照)。このDVB-T2規格に準拠した地上デジタル放送では、直交周波数分割多重方式（以下、OFDM（Orthogonal Frequency Division Multiplexing）方式という）と呼ばれる変調方式が用いられる。
【０００３】
図１は、DVB-T2規格に準拠したデジタル信号の構成例を示す図である。
【０００４】
図１に示すように、DVB-T2規格に準拠したデジタル信号（以下、DVB-T2信号という）のフレームの種類としては、DVB-T2規格に準拠したフレーム(以下、Ｔ２フレームという)と、将来規格化される、DVB-T2規格以外の規格に準拠したフレーム（以下、FEF（Future Extension Frame）パート（part）という）がある。
【０００５】
各フレームの先頭にはＰ１信号が配置される。Ｐ１信号は、フレームのFFT（Fast Fourier Transform）サイズ、通信方式がMISO（Multiple Input Single Output）であるか、SISO(Single Input Single Output)であるかを表す通信方式情報、および、フレームがFEFパートであるかどうかを表す種類情報を表している。Ｔ２フレームでは、Ｐ１信号の後、Ｐ２信号とデータ信号が配置される。
【先行技術文献】
【非特許文献】
【０００６】
【非特許文献１】Frame structure channel coding and modulation for a second generation digital terrestrial television broadcasting system (DVB-T2) 平成２０年６月３０日、DVBのホームページ、［平成２１年５月２７日検索］、インターネット＜URL：http://www.dvb.org/technology/dvbt2/a122.tm3980r5.DVB-T2.pdf＞
【発明の概要】
【発明が解決しようとする課題】
【０００７】
ところで、DVB-T2信号は、OFDM方式で変調されるため、受信装置がRF信号をIF信号に変換する際、スペクトル反転が発生する場合がある。この場合、受信装置は、DVB-T2信号を正確に復調することができない。また、受信装置は、Ｐ１信号を正確に復調することができないため、フレームの復調に必要な情報を得ることができない。
【０００８】
本発明は、このような状況に鑑みてなされたものであり、スペクトル反転が発生した場合であっても、DVB-T2規格の受信信号を正確に復調することができるようにするものである。
【課題を解決するための手段】
【０００９】
本発明の第１の側面の受信装置は、DVB-T2（Digital Video Broadcasting - Terrestrial 2）規格の受信信号のうちのＰ１信号を用いて、前記受信信号におけるスペクトル反転の発生の有無を検出するスペクトル反転検出手段と、少なくとも前記スペクトル反転検出手段により前記スペクトル反転の発生の有りが検出された場合、前記受信信号に対してスペクトル反転処理を行うスペクトル反転手段と、前記スペクトル反転検出手段により前記スペクトル反転の発生の有りが検出された場合、前記スペクトル反転処理が行われた前記受信信号を復調し、前記スペクトル反転の無しが検出された場合、前記スペクトル反転処理が行われていない前記受信信号を復調する復調手段と、前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値を求める相関手段と、前記受信信号において前記スペクトル反転が発生しているものとして、前記周波数の差分だけ前記受信信号の周波数をシフトした信号と、前記受信信号との相関値を求める反転相関手段とを備え、前記スペクトル反転検出手段は、前記受信信号が前記Ｐ１信号である場合に、前記相関手段により求められた前記相関値の絶対値の最大値と、前記反転相関手段により求められた前記相関値の絶対値の最大値の比較結果に基づいて、前記スペクトル反転の発生の有無を検出する受信装置である。
【００１０】
本発明の第１の側面の受信方法およびプログラムは、上述した本発明の第１の側面の受信装置に対応する。
【００１１】
本発明の第１の側面においては、DVB-T2（Digital Video Broadcasting - Terrestrial 2）規格の受信信号のうちのＰ１信号を用いて、前記受信信号におけるスペクトル反転の発生の有無が検出され、少なくとも前記スペクトル反転の発生の有りが検出された場合、前記受信信号に対してスペクトル反転処理が行われ、前記スペクトル反転の発生の有りが検出された場合、前記スペクトル反転処理が行われた前記受信信号が復調され、前記スペクトル反転の無しが検出された場合、前記スペクトル反転処理が行われていない前記受信信号が復調され、前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値が求められ、前記受信信号において前記スペクトル反転が発生しているものとして、前記周波数の差分だけ前記受信信号の周波数をシフトした信号と、前記受信信号との相関値が求められる。なお、前記スペクトル反転の発生の有無は、前記受信信号が前記Ｐ１信号である場合に、前記受信信号において前記スペクトル反転が発生していないものとして求められた前記相関値の絶対値の最大値と、前記受信信号において前記スペクトル反転が発生しているものとして求められた前記相関値の絶対値の最大値の比較結果に基づいて検出される。
【００１２】
本発明の第２の側面の受信システムは、伝送路よりDVB-T2（Digital Video Broadcasting - Terrestrial 2）規格の信号を受信信号として取得する取得手段と、前記取得手段により取得された前記受信信号に対して伝送路復号化処理を行う伝送路復号化処理手段とを備え、前記伝送路復号化処理手段は、前記受信信号のうちのＰ１信号を用いて、前記受信信号におけるスペクトル反転の発生の有無を検出するスペクトル反転検出手段と、少なくとも前記スペクトル反転検出手段により前記スペクトル反転の発生の有りが検出された場合、前記受信信号に対してスペクトル反転処理を行うスペクトル反転手段と、前記スペクトル反転検出手段により前記スペクトル反転の発生の有りが検出された場合、前記スペクトル反転処理が行われた前記受信信号を復調し、前記スペクトル反転の無しが検出された場合、前記スペクトル反転処理が行われていない前記受信信号を復調する復調手段と、前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値を求める相関手段と、前記受信信号において前記スペクトル反転が発生しているものとして、前記周波数の差分だけ前記受信信号の周波数をシフトした信号と、前記受信信号との相関値を求める反転相関手段とを備え、前記スペクトル反転検出手段は、前記受信信号が前記Ｐ１信号である場合に、前記相関手段により求められた前記相関値の絶対値の最大値と、前記反転相関手段により求められた前記相関値の絶対値の最大値の比較結果に基づいて、前記スペクトル反転の発生の有無を検出する受信システムである。
【００１３】
本発明の第２の側面においては、伝送路よりDVB-T2（Digital Video Broadcasting - Terrestrial 2）規格の信号が受信信号として取得され、その受信信号に対して伝送路復号化処理が行われる。伝送路復号化処理では、前記受信信号のうちのＰ１信号を用いて、前記受信信号におけるスペクトル反転の発生の有無が検出され、少なくとも前記スペクトル反転の発生の有りが検出された場合、前記受信信号に対してスペクトル反転処理が行われ、前記スペクトル反転の発生の有りが検出された場合、前記スペクトル反転処理が行われた前記受信信号が復調され、前記スペクトル反転の無しが検出された場合、前記スペクトル反転処理が行われていない前記受信信号が復調され、前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値が求められ、前記受信信号において前記スペクトル反転が発生しているものとして、前記周波数の差分だけ前記受信信号の周波数をシフトした信号と、前記受信信号との相関値が求められる。なお、前記スペクトル反転の発生の有無は、前記受信信号が前記Ｐ１信号である場合に、前記受信信号において前記スペクトル反転が発生していないものとして求められた前記相関値の絶対値の最大値と、前記受信信号において前記スペクトル反転が発生しているものとして求められた前記相関値の絶対値の最大値の比較結果に基づいて検出される。
【００１４】
本発明の第３の側面の受信システムは、伝送路より取得したDVB-T2（Digital Video Broadcasting - Terrestrial 2）規格の受信信号に対して伝送路復号化処理を行う伝送路復号化処理手段と、前記伝送路復号化処理手段による伝送路復号化処理後の前記受信信号に対して情報源復号化処理を行う情報源復号化処理手段とを備え、前記伝送路復号化処理手段は、前記受信信号のうちのＰ１信号を用いて、前記受信信号におけるスペクトル反転の発生の有無を検出するスペクトル反転検出手段と、少なくとも前記スペクトル反転検出手段により前記スペクトル反転の発生の有りが検出された場合、前記受信信号に対してスペクトル反転処理を行うスペクトル反転手段と、前記スペクトル反転検出手段により前記スペクトル反転の発生の有りが検出された場合、前記スペクトル反転処理が行われた前記受信信号を復調し、前記スペクトル反転の無しが検出された場合、前記スペクトル反転処理が行われていない前記受信信号を復調する復調手段と、前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値を求める相関手段と、前記受信信号において前記スペクトル反転が発生しているものとして、前記周波数の差分だけ前記受信信号の周波数をシフトした信号と、前記受信信号との相関値を求める反転相関手段とを備え、前記スペクトル反転検出手段は、前記受信信号が前記Ｐ１信号である場合に、前記相関手段により求められた前記相関値の絶対値の最大値と、前記反転相関手段により求められた前記相関値の絶対値の最大値の比較結果に基づいて、前記スペクトル反転の発生の有無を検出する受信システムである。
【００１５】
本発明の第３の側面においては、伝送路より取得したDVB-T2（Digital Video Broadcasting - Terrestrial 2）規格の受信信号に対して伝送路復号化処理が行われ、伝送路復号化処理後の前記受信信号に対して情報源復号化処理が行われる。伝送路復号化処理では、前記受信信号のうちのＰ１信号を用いて、前記受信信号におけるスペクトル反転の発生の有無が検出され、少なくとも前記スペクトル反転の発生の有りが検出された場合、前記受信信号に対してスペクトル反転処理が行われ、前記スペクトル反転の発生の有りが検出された場合、前記スペクトル反転処理が行われた前記受信信号が復調され、前記スペクトル反転の無しが検出された場合、前記スペクトル反転処理が行われていない前記受信信号が復調され、前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値が求められ、前記受信信号において前記スペクトル反転が発生しているものとして、前記周波数の差分だけ前記受信信号の周波数をシフトした信号と、前記受信信号との相関値が求められる。なお、前記スペクトル反転の発生の有無は、前記受信信号が前記Ｐ１信号である場合に、前記受信信号において前記スペクトル反転が発生していないものとして求められた前記相関値の絶対値の最大値と、前記受信信号において前記スペクトル反転が発生しているものとして求められた前記相関値の絶対値の最大値の比較結果に基づいて検出される。
【００１６】
本発明の第４の側面の受信システムは、伝送路より取得したDVB-T2（Digital Video Broadcasting - Terrestrial 2）規格の受信信号に対して伝送路復号化処理を行う伝送路復号化処理手段と、前記伝送路復号化処理手段による伝送路復号化処理後の前記受信信号に基づいて画像または音声を出力する出力手段とを備え、前記伝送路復号化処理手段は、前記受信信号のうちのＰ１信号を用いて、前記受信信号におけるスペクトル反転の発生の有無を検出するスペクトル反転検出手段と、少なくとも前記スペクトル反転検出手段により前記スペクトル反転の発生の有りが検出された場合、前記受信信号に対してスペクトル反転処理を行うスペクトル反転手段と、前記スペクトル反転検出手段により前記スペクトル反転の発生の有りが検出された場合、前記スペクトル反転処理が行われた前記受信信号を復調し、前記スペクトル反転の無しが検出された場合、前記スペクトル反転処理が行われていない前記受信信号を復調する復調手段と、前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値を求める相関手段と、前記受信信号において前記スペクトル反転が発生しているものとして、前記周波数の差分だけ前記受信信号の周波数をシフトした信号と、前記受信信号との相関値を求める反転相関手段とを備え、前記スペクトル反転検出手段は、前記受信信号が前記Ｐ１信号である場合に、前記相関手段により求められた前記相関値の絶対値の最大値と、前記反転相関手段により求められた前記相関値の絶対値の最大値の比較結果に基づいて、前記スペクトル反転の発生の有無を検出する受信システムである。
【００１７】
本発明の第４の側面においては、伝送路より取得したDVB-T2（Digital Video Broadcasting - Terrestrial 2）規格の受信信号に対して伝送路復号化処理が行われ、伝送路復号化処理後の前記受信信号に基づいて画像または音声が出力される。伝送路復号化処理では、前記受信信号のうちのＰ１信号を用いて、前記受信信号におけるスペクトル反転の発生の有無が検出され、少なくとも前記スペクトル反転の発生の有りが検出された場合、前記受信信号に対してスペクトル反転処理が行われ、前記スペクトル反転の発生の有りが検出された場合、前記スペクトル反転処理が行われた前記受信信号が復調され、前記スペクトル反転の無しが検出された場合、前記スペクトル反転処理が行われていない前記受信信号が復調され、前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値が求められ、前記受信信号において前記スペクトル反転が発生しているものとして、前記周波数の差分だけ前記受信信号の周波数をシフトした信号と、前記受信信号との相関値が求められる。なお、前記スペクトル反転の発生の有無は、前記受信信号が前記Ｐ１信号である場合に、前記受信信号において前記スペクトル反転が発生していないものとして求められた前記相関値の絶対値の最大値と、前記受信信号において前記スペクトル反転が発生しているものとして求められた前記相関値の絶対値の最大値の比較結果に基づいて検出される。
【００１８】
本発明の第５の側面の受信システムは、伝送路より取得したDVB-T2（Digital Video Broadcasting - Terrestrial 2）規格の受信信号に対して伝送路復号化処理を行う伝送路復号化処理手段と、前記伝送路復号化処理手段による伝送路復号化処理後の前記受信信号の記録を制御する記録制御手段とを備え、前記伝送路復号化処理手段は、前記受信信号のうちのＰ１信号を用いて、前記受信信号におけるスペクトル反転の発生の有無を検出するスペクトル反転検出手段と、少なくとも前記スペクトル反転検出手段により前記スペクトル反転の発生の有りが検出された場合、前記受信信号に対してスペクトル反転処理を行うスペクトル反転手段と、前記スペクトル反転検出手段により前記スペクトル反転の発生の有りが検出された場合、前記スペクトル反転処理が行われた前記受信信号を復調し、前記スペクトル反転の無しが検出された場合、前記スペクトル反転処理が行われていない前記受信信号を復調する復調手段と、前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値を求める相関手段と、前記受信信号において前記スペクトル反転が発生しているものとして、前記周波数の差分だけ前記受信信号の周波数をシフトした信号と、前記受信信号との相関値を求める反転相関手段とを備え、前記スペクトル反転検出手段は、前記受信信号が前記Ｐ１信号である場合に、前記相関手段により求められた前記相関値の絶対値の最大値と、前記反転相関手段により求められた前記相関値の絶対値の最大値の比較結果に基づいて、前記スペクトル反転の発生の有無を検出する受信システムである。
【００１９】
本発明の第５の側面においては、伝送路より取得したDVB-T2（Digital Video Broadcasting - Terrestrial 2）規格の受信信号に対して伝送路復号化処理が行われ、伝送路復号化処理後の前記受信信号の記録が制御される。伝送路復号化処理では、前記受信信号のうちのＰ１信号を用いて、前記受信信号におけるスペクトル反転の発生の有無が検出され、少なくとも前記スペクトル反転の発生の有りが検出された場合、前記受信信号に対してスペクトル反転処理が行われ、前記スペクトル反転の発生の有りが検出された場合、前記スペクトル反転処理が行われた前記受信信号が復調され、前記スペクトル反転の無しが検出された場合、前記スペクトル反転処理が行われていない前記受信信号が復調され、前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値が求められ、前記受信信号において前記スペクトル反転が発生しているものとして、前記周波数の差分だけ前記受信信号の周波数をシフトした信号と、前記受信信号との相関値が求められる。なお、前記スペクトル反転の発生の有無は、前記受信信号が前記Ｐ１信号である場合に、前記受信信号において前記スペクトル反転が発生していないものとして求められた前記相関値の絶対値の最大値と、前記受信信号において前記スペクトル反転が発生しているものとして求められた前記相関値の絶対値の最大値の比較結果に基づいて検出される。
本発明の第６の側面の受信装置は、DVB-T2（Digital Video Broadcasting - Terrestrial 2）規格の受信信号のうちのＰ１信号を用いて、前記受信信号におけるスペクトル反転の発生の有無を検出するスペクトル反転検出手段と、少なくとも前記スペクトル反転検出手段により前記スペクトル反転の発生の有りが検出された場合、前記受信信号に対してスペクトル反転処理を行うスペクトル反転手段と、前記スペクトル反転検出手段により前記スペクトル反転の発生の有りが検出された場合、前記スペクトル反転処理が行われた前記受信信号を復調し、前記スペクトル反転の無しが検出された場合、前記スペクトル反転処理が行われていない前記受信信号を復調する復調手段と、前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値を求めるか、または、前記受信信号において前記スペクトル反転が発生しているものとして、前記周波数の差分だけ前記受信信号の周波数をシフトした信号と、前記受信信号との相関値を求める相関手段と、前記相関手段により求められた前記相関値の絶対値が最大値である場合に、前記受信信号が前記Ｐ１信号であることを検出するＰ１検出手段とを備え、前記スペクトル反転検出手段は、前記Ｐ１検出手段により前記受信信号が前記Ｐ１信号であることが検出された場合に、前記相関手段により求められた前記相関値が、前記受信信号において前記スペクトル反転が発生していないものとして求められた相関値であるとき、前記スペクトル反転の発生の無しを検出し、前記スペクトル反転が発生しているものとして求められた相関値であるとき、前記スペクトル反転の発生の有りを検出する受信装置である。
本発明の第６の側面の受信方法およびプログラムは、上述した本発明の第６の側面の受信装置に対応する。
本発明の第６の側面においては、DVB-T2（Digital Video Broadcasting - Terrestrial 2）規格の受信信号のうちのＰ１信号を用いて、前記受信信号におけるスペクトル反転の発生の有無が検出され、少なくとも前記スペクトル反転の発生の有りが検出された場合、前記受信信号に対してスペクトル反転処理が行われ、前記スペクトル反転の発生の有りが検出された場合、前記スペクトル反転処理が行われた前記受信信号が復調され、前記スペクトル反転の無しが検出された場合、前記スペクトル反転処理が行われていない前記受信信号が復調され、前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値が求められるか、または、前記受信信号において前記スペクトル反転が発生しているものとして、前記周波数の差分だけ前記受信信号の周波数をシフトした信号と、前記受信信号との相関値が求められ、前記相関値の絶対値が最大値である場合に、前記受信信号が前記Ｐ１信号であることが検出される。なお、前記スペクトル反転の発生の無しは、前記受信信号が前記Ｐ１信号であることが検出された場合に、求められた前記相関値が、前記受信信号において前記スペクトル反転が発生していないものとして求められた相関値であるとき検出され、前記スペクトル反転の発生の有りは、前記スペクトル反転が発生しているものとして求められた相関値であるとき検出される。
本発明の第７の側面の受信システムは、伝送路よりDVB-T2（Digital Video Broadcasting - Terrestrial 2）規格の信号を受信信号として取得する取得手段と、前記取得手段により取得された前記受信信号に対して伝送路復号化処理を行う伝送路復号化処理手段とを備え、前記伝送路復号化処理手段は、前記受信信号のうちのＰ１信号を用いて、前記受信信号におけるスペクトル反転の発生の有無を検出するスペクトル反転検出手段と、少なくとも前記スペクトル反転検出手段により前記スペクトル反転の発生の有りが検出された場合、前記受信信号に対してスペクトル反転処理を行うスペクトル反転手段と、前記スペクトル反転検出手段により前記スペクトル反転の発生の有りが検出された場合、前記スペクトル反転処理が行われた前記受信信号を復調し、前記スペクトル反転の無しが検出された場合、前記スペクトル反転処理が行われていない前記受信信号を復調する復調手段と、前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値を求めるか、または、前記受信信号において前記スペクトル反転が発生しているものとして、前記周波数の差分だけ前記受信信号の周波数をシフトした信号と、前記受信信号との相関値を求める相関手段と、前記相関手段により求められた前記相関値の絶対値が最大値である場合に、前記受信信号が前記Ｐ１信号であることを検出するＰ１検出手段とを備え、前記スペクトル反転検出手段は、前記Ｐ１検出手段により前記受信信号が前記Ｐ１信号であることが検出された場合に、前記相関手段により求められた前記相関値が、前記受信信号において前記スペクトル反転が発生していないものとして求められた相関値であるとき、前記スペクトル反転の発生の無しを検出し、前記スペクトル反転が発生しているものとして求められた相関値であるとき、前記スペクトル反転の発生の有りを検出する受信システムである。
本発明の第７の側面においては、伝送路よりDVB-T2（Digital Video Broadcasting - Terrestrial 2）規格の信号が受信信号として取得され、その受信信号に対して伝送路復号化処理が行われる。伝送路復号化処理では、前記受信信号のうちのＰ１信号を用いて、前記受信信号におけるスペクトル反転の発生の有無が検出され、少なくとも前記スペクトル反転の発生の有りが検出された場合、前記受信信号に対してスペクトル反転処理が行われ、前記スペクトル反転の発生の有りが検出された場合、前記スペクトル反転処理が行われた前記受信信号が復調され、前記スペクトル反転の無しが検出された場合、前記スペクトル反転処理が行われていない前記受信信号が復調され、前記スペクトル反転の無しが検出された場合、前記スペクトル反転処理が行われていない前記受信信号が復調され、前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値が求められるか、または、前記受信信号において前記スペクトル反転が発生しているものとして、前記周波数の差分だけ前記受信信号の周波数をシフトした信号と、前記受信信号との相関値が求められ、前記相関値の絶対値が最大値である場合に、前記受信信号が前記Ｐ１信号であることが検出される。なお、前記スペクトル反転の発生の無しは、前記受信信号が前記Ｐ１信号であることが検出された場合に、求められた前記相関値が、前記受信信号において前記スペクトル反転が発生していないものとして求められた相関値であるとき検出され、前記スペクトル反転の発生の有りは、前記スペクトル反転が発生しているものとして求められた相関値であるとき検出される。
本発明の第８の側面の受信システムは、伝送路より取得したDVB-T2（Digital Video Broadcasting - Terrestrial 2）規格の受信信号に対して伝送路復号化処理を行う伝送路復号化処理手段と、前記伝送路復号化処理手段による伝送路復号化処理後の前記受信信号に対して情報源復号化処理を行う情報源復号化処理手段とを備え、前記伝送路復号化処理手段は、前記受信信号のうちのＰ１信号を用いて、前記受信信号におけるスペクトル反転の発生の有無を検出するスペクトル反転検出手段と、少なくとも前記スペクトル反転検出手段により前記スペクトル反転の発生の有りが検出された場合、前記受信信号に対してスペクトル反転処理を行うスペクトル反転手段と、前記スペクトル反転検出手段により前記スペクトル反転の発生の有りが検出された場合、前記スペクトル反転処理が行われた前記受信信号を復調し、前記スペクトル反転の無しが検出された場合、前記スペクトル反転処理が行われていない前記受信信号を復調する復調手段と、前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値を求めるか、または、前記受信信号において前記スペクトル反転が発生しているものとして、前記周波数の差分だけ前記受信信号の周波数をシフトした信号と、前記受信信号との相関値を求める相関手段と、前記相関手段により求められた前記相関値の絶対値が最大値である場合に、前記受信信号が前記Ｐ１信号であることを検出するＰ１検出手段とを備え、前記スペクトル反転検出手段は、前記Ｐ１検出手段により前記受信信号が前記Ｐ１信号であることが検出された場合に、前記相関手段により求められた前記相関値が、前記受信信号において前記スペクトル反転が発生していないものとして求められた相関値であるとき、前記スペクトル反転の発生の無しを検出し、前記スペクトル反転が発生しているものとして求められた相関値であるとき、前記スペクトル反転の発生の有りを検出する受信システムである。
本発明の第８の側面においては、伝送路より取得したDVB-T2（Digital Video Broadcasting - Terrestrial 2）規格の受信信号に対して伝送路復号化処理が行われ、伝送路復号化処理後の前記受信信号に対して情報源復号化処理が行われる。伝送路復号化処理では、前記受信信号のうちのＰ１信号を用いて、前記受信信号におけるスペクトル反転の発生の有無が検出され、少なくとも前記スペクトル反転の発生の有りが検出された場合、前記受信信号に対してスペクトル反転処理が行われ、前記スペクトル反転の発生の有りが検出された場合、前記スペクトル反転処理が行われた前記受信信号が復調され、前記スペクトル反転の無しが検出された場合、前記スペクトル反転処理が行われていない前記受信信号が復調され、前記スペクトル反転の無しが検出された場合、前記スペクトル反転処理が行われていない前記受信信号が復調され、前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値が求められるか、または、前記受信信号において前記スペクトル反転が発生しているものとして、前記周波数の差分だけ前記受信信号の周波数をシフトした信号と、前記受信信号との相関値が求められ、前記相関値の絶対値が最大値である場合に、前記受信信号が前記Ｐ１信号であることが検出される。なお、前記スペクトル反転の発生の無しは、前記受信信号が前記Ｐ１信号であることが検出された場合に、求められた前記相関値が、前記受信信号において前記スペクトル反転が発生していないものとして求められた相関値であるとき検出され、前記スペクトル反転の発生の有りは、前記スペクトル反転が発生しているものとして求められた相関値であるとき検出される。
本発明の第９の側面の受信システムは、伝送路より取得したDVB-T2（Digital Video Broadcasting - Terrestrial 2）規格の受信信号に対して伝送路復号化処理を行う伝送路復号化処理手段と、前記伝送路復号化処理手段による伝送路復号化処理後の前記受信信号に基づいて画像または音声を出力する出力手段とを備え、前記伝送路復号化処理手段は、前記受信信号のうちのＰ１信号を用いて、前記受信信号におけるスペクトル反転の発生の有無を検出するスペクトル反転検出手段と、少なくとも前記スペクトル反転検出手段により前記スペクトル反転の発生の有りが検出された場合、前記受信信号に対してスペクトル反転処理を行うスペクトル反転手段と、前記スペクトル反転検出手段により前記スペクトル反転の発生の有りが検出された場合、前記スペクトル反転処理が行われた前記受信信号を復調し、前記スペクトル反転の無しが検出された場合、前記スペクトル反転処理が行われていない前記受信信号を復調する復調手段と、前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値を求めるか、または、前記受信信号において前記スペクトル反転が発生しているものとして、前記周波数の差分だけ前記受信信号の周波数をシフトした信号と、前記受信信号との相関値を求める相関手段と、前記相関手段により求められた前記相関値の絶対値が最大値である場合に、前記受信信号が前記Ｐ１信号であることを検出するＰ１検出手段とを備え、前記スペクトル反転検出手段は、前記Ｐ１検出手段により前記受信信号が前記Ｐ１信号であることが検出された場合に、前記相関手段により求められた前記相関値が、前記受信信号において前記スペクトル反転が発生していないものとして求められた相関値であるとき、前記スペクトル反転の発生の無しを検出し、前記スペクトル反転が発生しているものとして求められた相関値であるとき、前記スペクトル反転の発生の有りを検出する受信システムである。
本発明の第９の側面においては、伝送路より取得したDVB-T2（Digital Video Broadcasting - Terrestrial 2）規格の受信信号に対して伝送路復号化処理が行われ、伝送路復号化処理後の前記受信信号に基づいて画像または音声が出力される。伝送路復号化処理では、前記受信信号のうちのＰ１信号を用いて、前記受信信号におけるスペクトル反転の発生の有無が検出され、少なくとも前記スペクトル反転の発生の有りが検出された場合、前記受信信号に対してスペクトル反転処理が行われ、前記スペクトル反転の発生の有りが検出された場合、前記スペクトル反転処理が行われた前記受信信号が復調され、前記スペクトル反転の無しが検出された場合、前記スペクトル反転処理が行われていない前記受信信号が復調され、前記スペクトル反転の無しが検出された場合、前記スペクトル反転処理が行われていない前記受信信号が復調され、前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値が求められるか、または、前記受信信号において前記スペクトル反転が発生しているものとして、前記周波数の差分だけ前記受信信号の周波数をシフトした信号と、前記受信信号との相関値が求められ、前記相関値の絶対値が最大値である場合に、前記受信信号が前記Ｐ１信号であることが検出される。なお、前記スペクトル反転の発生の無しは、前記受信信号が前記Ｐ１信号であることが検出された場合に、求められた前記相関値が、前記受信信号において前記スペクトル反転が発生していないものとして求められた相関値であるとき検出され、前記スペクトル反転の発生の有りは、前記スペクトル反転が発生しているものとして求められた相関値であるとき検出される。
本発明の第１０の側面の受信システムは、伝送路より取得したDVB-T2（Digital Video Broadcasting - Terrestrial 2）規格の受信信号に対して伝送路復号化処理を行う伝送路復号化処理手段と、前記伝送路復号化処理手段による伝送路復号化処理後の前記受信信号の記録を制御する記録制御手段とを備え、前記伝送路復号化処理手段は、前記受信信号のうちのＰ１信号を用いて、前記受信信号におけるスペクトル反転の発生の有無を検出するスペクトル反転検出手段と、少なくとも前記スペクトル反転検出手段により前記スペクトル反転の発生の有りが検出された場合、前記受信信号に対してスペクトル反転処理を行うスペクトル反転手段と、前記スペクトル反転検出手段により前記スペクトル反転の発生の有りが検出された場合、前記スペクトル反転処理が行われた前記受信信号を復調し、前記スペクトル反転の無しが検出された場合、前記スペクトル反転処理が行われていない前記受信信号を復調する復調手段と、前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値を求めるか、または、前記受信信号において前記スペクトル反転が発生しているものとして、前記周波数の差分だけ前記受信信号の周波数をシフトした信号と、前記受信信号との相関値を求める相関手段と、前記相関手段により求められた前記相関値の絶対値が最大値である場合に、前記受信信号が前記Ｐ１信号であることを検出するＰ１検出手段とを備え、前記スペクトル反転検出手段は、前記Ｐ１検出手段により前記受信信号が前記Ｐ１信号であることが検出された場合に、前記相関手段により求められた前記相関値が、前記受信信号において前記スペクトル反転が発生していないものとして求められた相関値であるとき、前記スペクトル反転の発生の無しを検出し、前記スペクトル反転が発生しているものとして求められた相関値であるとき、前記スペクトル反転の発生の有りを検出する受信システムである。
本発明の第１０の側面においては、伝送路より取得したDVB-T2（Digital Video Broadcasting - Terrestrial 2）規格の受信信号に対して伝送路復号化処理が行われ、伝送路復号化処理後の前記受信信号の記録が制御される。伝送路復号化処理では、前記受信信号のうちのＰ１信号を用いて、前記受信信号におけるスペクトル反転の発生の有無が検出され、少なくとも前記スペクトル反転の発生の有りが検出された場合、前記受信信号に対してスペクトル反転処理が行われ、前記スペクトル反転の発生の有りが検出された場合、前記スペクトル反転処理が行われた前記受信信号が復調され、前記スペクトル反転の無しが検出された場合、前記スペクトル反転処理が行われていない前記受信信号が復調され、前記スペクトル反転の無しが検出された場合、前記スペクトル反転処理が行われていない前記受信信号が復調され、前記受信信号において前記スペクトル反転が発生していないものとして、前記Ｐ１信号を構成する実情報部とその実情報部と重複する重複部の周波数の差分だけ前記受信信号の周波数をシフトした信号と、前記受信信号との相関値が求められるか、または、前記受信信号において前記スペクトル反転が発生しているものとして、前記周波数の差分だけ前記受信信号の周波数をシフトした信号と、前記受信信号との相関値が求められ、前記相関値の絶対値が最大値である場合に、前記受信信号が前記Ｐ１信号であることが検出される。なお、前記スペクトル反転の発生の無しは、前記受信信号が前記Ｐ１信号であることが検出された場合に、求められた前記相関値が、前記受信信号において前記スペクトル反転が発生していないものとして求められた相関値であるとき検出され、前記スペクトル反転の発生の有りは、前記スペクトル反転が発生しているものとして求められた相関値であるとき検出される。
【発明の効果】
【００２０】
本発明によれば、スペクトル反転が発生した場合であっても、DVB-T2規格の受信信号を正確に復調することができる。
【図面の簡単な説明】
【００２１】
【図１】DVB-T2規格に準拠したデジタル信号の構成例を示す図である。
【図２】DVB-T2信号を送信する送信システムの構成例を示すブロック図である。
【図３】情報送信用キャリアを説明する図である。
【図４】Ｐ１信号の構成例を示す図である。
【図５】本発明を適用した受信システムの第１実施の形態の構成例を示すブロック図である。
【図６】Ｐ１復号化処理部の詳細構成例を示すブロック図である。
【図７】相関器の詳細構成例を示すブロック図である。
【図８】遅延前の相関値Ｂおよび相関値Ｃを説明する図である。
【図９】遅延後の相関値Ｂ、相関値Ｃ、および出力相関値を示す図である。
【図１０】反転相関器の詳細構成例を示すブロック図である。
【図１１】反転相関器の他の詳細構成例を示すブロック図である。
【図１２】最大探索器の詳細構成例を示すブロック図である。
【図１３】受信システムによるＰ１復調処理を説明するフローチャートである。
【図１４】受信システムによるＰ１復調処理を説明するフローチャートである。
【図１５】図１３のステップＳ３８のＰ１信号検出処理およびスペクトル反転検出処理を説明するフローチャートである。
【図１６】図１５のステップＳ６１の最大値検出処理を説明するフローチャートである。
【図１７】最大探索器の他の詳細構成例を示すブロック図である。
【図１８】本発明を適用した受信システムの第２実施の形態の構成例を示すブロック図である。
【図１９】図１８のＰ１復号化処理部の詳細構成例を示すブロック図である。
【図２０】図１９の相関器の詳細構成例を示すブロック図である。
【図２１】図１９の最大探索器の詳細構成例を示すブロック図である。
【図２２】本発明を適用した受信システムの第３実施の形態の構成例を示すブロック図である。
【図２３】パーソナルコンピュータの構成例を示す図である。
【発明を実施するための形態】
【００２２】
＜本発明の前提＞
［送信システムの構成例］
図２は、DVB-T2信号を送信する送信システム１０の構成例を示すブロック図である。
【００２３】
図２の送信システム１０は、Ｐ１符号化処理部１１、データ符号化処理部１２、直交変調部１３、D/A変換部１４、周波数変換部１５、およびアンテナ１６により構成される。送信システム１０は、例えば、地上デジタル放送、衛星デジタル放送などのDVB-T2信号を送信する。
【００２４】
Ｐ１符号化処理部１１は、384ビット信号生成部２１、DBPSK（Differential Binary Phase Shift Keying）変調部２２、スクランブル部２３、１Ｋキャリア生成部２４、CDSテーブル２５、IFFT（Inverse Fast Fourier Transform）演算部２６、およびＰ１信号生成部２７により構成され、Ｐ１信号を生成する。
【００２５】
384ビット信号生成部２１には、フレームのFFTサイズ、通信方式情報、および種類情報のいずれかを表すＳ１信号およびＳ２信号が入力される。384ビット信号生成部２１は、Ｓ１信号およびＳ２信号を、所定の０，１系列にマッピングし、384ビットの信号を生成する。
【００２６】
DBPSK変調部２２は、384ビット信号生成部２１により生成された384ビットの信号に対してDBPSK変調を行い、その結果得られるＩ成分とＱ成分からなるDBPSK変調信号をスクランブル部２３に供給する。
【００２７】
スクランブル部２３は、DBPSK変調部２２から供給されるDBPSK変調信号をＭ系列で暗号化する。
【００２８】
１Ｋキャリア生成部２４は、CDSテーブル２５に記憶されている有効キャリア番号を読み出し、その有効キャリア番号を参照して、スクランブル部２３により暗号化されたＩ成分とＱ成分からなるDBPSK変調信号を１Ｋのキャリアにマッピングする。CDSテーブル２５は、１Ｋのキャリアのうちの有効キャリアの番号を記憶している。
【００２９】
IFFT演算部２６は、１Ｋキャリア生成部２４により１Ｋのキャリアにマッピングされた結果得られるＩ成分とＱ成分からなる１Ｋ信号に対してIFFT演算を行い、その結果得られるＩ成分とＱ成分からなるIFFT信号をＰ１信号生成部２７に供給する。
【００３０】
Ｐ１信号生成部２７は、IFFT演算部２６から供給されるIFFT信号を用いて、Ｉ成分とＱ成分からなるＰ１信号を生成し、直交変調部１３に供給する。
【００３１】
データ符号化処理部１２は、外部から入力されるフレームサイズなどを表す信号や放送信号に対して、暗号化、マッピング、IFFT演算などの符号化処理を行い、Ｉ成分とＱ成分からなるＰ２信号やデータ信号を生成する。そして、データ符号化処理部１２は、Ｉ成分およびＱ成分からなるＰ２信号やデータ信号を直交変調部１３に供給する。
【００３２】
直交変調部１３は、Ｐ１信号生成部２７から供給されるＰ１信号、および、データ符号化処理部１２から供給されるＰ２信号やデータ信号からなるDVB-T2信号に対して直交変調を行う。
【００３３】
D/A変換部１４は、直交変調部１３による直交変調の結果得られるDVB-T2信号に対してD/A変換を行い、その結果得られるアナログ信号を周波数変換部１５に供給する。
【００３４】
周波数変換部１５は、D/A変換部１４から供給されるアナログ信号に対して周波数変換を行い、ＲＦ（Radio Frequency）信号を得る。このＲＦ信号は、アンテナ１６を介して地上波や衛星波といった伝送路を用いて送信される。
【００３５】
［有効キャリアの説明］
図３は、１Ｋキャリア生成部２４により生成される１Ｋ信号のキャリアのうちの情報送信用キャリアを説明する図である。
【００３６】
図３に示すように、１Ｋ信号の1024本のキャリアのうち、853本のキャリアが、情報送信用キャリアとして割り当てられる。そして、この情報送信用キャリアのうちの384本のキャリアが有効キャリアとして割り当てられ、実質的な情報を送信するキャリアとして使用される。
【００３７】
[Ｐ１信号の説明]
図４は、Ｐ１信号の構成例を示す図である。
【００３８】
図４に示すように、Ｐ１信号はＣ−Ａ−Ｂ構造となっており、Ｐ１信号の実情報部Ａの前に、実情報部Ａの一部分が重複部Ｃとして重複して配置され、実情報部Ａの後に、実情報部Ａの残りの部分が重複部Ｂとして重複して配置される。なお、重複部Ｃおよび重複部Ｂは、実情報部Ａに対して周波数ｆＳＨだけ周波数を高くして、挿入される。
【００３９】
＜第１実施の形態＞
［受信システムの第１実施の形態の構成例］
図５は、本発明を適用した受信システムの第１実施の形態の構成例を示すブロック図である。
【００４０】
図５の受信システム５０は、アンテナ５１、周波数変換部５２、局部発振部５３、A/D変換部５４、直交復調部５５、局部発振部５６、Ｐ１復号化処理部５７、スペクトル反転器５８、セレクタ５９、データ復号化処理部６０、および出力部６１により構成される。
【００４１】
アンテナ５１は、図２の送信システム１０から送信されてくるDVB-T2信号のＲＦ信号を取得し、そのＲＦ信号を周波数変換部５２に供給する。
【００４２】
周波数変換部５２は、アンテナ５１から供給されるＲＦ信号と、局部発振部５３から供給される発振周波数（ＦＮＣ+ＢＷ）の搬送波を乗算し、ＲＦ信号を中心周波数ＦＮＣのＩＦ信号に変換する。このとき、スペクトル反転が発生する場合がある。周波数変換部５２は、ＩＦ信号をA/D変換部５４に供給する。
【００４３】
局部発振部５３は、発振周波数（ＦＮＣ+ＢＷ）の搬送波を生成し、その搬送波を周波数変換部５２に供給する。
【００４４】
A/D変換部５４は、周波数変換部５２から供給されるＩＦ信号に対してA/D変換を行い、その結果得られるデジタル化されたＩＦ信号を直交復調部５５に供給する。
【００４５】
直交復調部５５は、A/D変換部５４から供給されるＩＦ信号を、局部発振部５６から供給される発振周波数ＢＷの搬送波を用いて直交復調する。直交復調部５５は、直交復調の結果得られるＩ成分とＱ成分からなる信号をＰ１復号化処理部５７、スペクトル反転器５８、およびセレクタ５９に供給する。局部発振部５６は、発振周波数ＢＷの搬送波を生成し、その搬送波を直交復調部５５に供給する。
【００４６】
Ｐ１復号化処理部５７は、直交復調部５５から供給される信号からＰ１信号を検出して復号化するとともに、受信されたDVB-T2信号におけるスペクトル反転の発生の有無を検出する。Ｐ１復号化処理部５７は、検出結果を表すスペクトル反転検出信号をセレクタ５９に供給する。Ｐ１復号化処理部５７の詳細については、後述する図６を参照して説明する。
【００４７】
スペクトル反転器５８は、直交変調部５５から供給されるＩ成分とＱ成分からなる信号に対してスペクトル反転処理を行う。スペクトル反転器５８は、その結果得られるＩ成分とＱ成分からなる信号をセレクタ５９に供給する。
【００４８】
セレクタ５９は、Ｐ１復号化処理部５７から供給されるスペクトル反転検出信号にしたがって、直交復調部５５からのスペクトル反転処理されていない信号、または、スペクトル反転器５８からのスペクトル反転処理された信号を選択し、データ復号化処理部６０に供給する。
【００４９】
データ復号化処理部６０は、Ｐ１復号化処理部５７による復号化の結果得られるＳ１信号およびＳ２信号を用いて、セレクタ５９から供給される信号からＰ２信号やデータ信号を伝送路復号化（復調等）し、情報源復号化（デコード等）する。データ復号化処理部６０は、その結果得られる放送信号を出力部６１に供給する。
【００５０】
出力部６１は、ディスプレイ、スピーカなどにより構成される。出力部６１は、データ復号化処理部６０から供給される放送信号に基づいて、画像を表示したり、音声を出力したりする。
【００５１】
[Ｐ１復号化処理部の詳細構成例]
図６は、図５のＰ１復号化処理部５７の詳細構成例を示すブロック図である。
【００５２】
図６に示すように、Ｐ１復号化処理部５７は、相関器７１、反転相関器７２、最大探索器７３、スペクトル反転器７４、セレクタ７５、FFT演算部７６、CDS相関器７７、およびデコード部７８により構成される。
【００５３】
相関器７１は、図５の直交復調部５５から供給されるＩ成分とＱ成分からなる信号においてスペクトル反転が発生していないものとして、その信号の相関値を求め、最大探索器７３に供給する。相関器７１の詳細については、後述する図７を参照して説明する。
【００５４】
反転相関器７２は、直交復調部５５から供給されるＩ成分とＱ成分からなる信号においてスペクトル反転が発生しているものとして、その信号の相関値を求め、最大探索器７３に供給する。反転相関器７２の詳細については、後述する図１０や図１１を参照して説明する。
【００５５】
最大探索器７３は、相関器７１および反転相関器７２から供給されるＩ成分とＱ成分からなる相関値を用いて、Ｐ１信号検出処理およびスペクトル反転検出処理を行う。そして、最大探索器７３は、Ｐ１信号検出処理の結果を表すＰ１検出フラグをFFT演算部７６に供給し、スペクトル反転検出処理の結果を表すスペクトル反転検出信号をセレクタ７５と図５のセレクタ５９に供給する。最大探索器７３の詳細については、後述する図１２等を参照して説明する。
【００５６】
スペクトル反転器７４は、直交復調部５５から供給されるＩ成分とＱ成分からなる信号に対してスペクトル反転処理を行い、その結果得られるＩ成分とＱ成分からなる信号をセレクタ７５に供給する。
【００５７】
セレクタ７５は、最大探索器７３から供給されるスペクトル反転検出信号にしたがって、直交復調部５５からのスペクトル反転処理されていない信号、または、スペクトル反転器７４からのスペクトル反転処理された信号を選択し、FFT演算部７６に供給する。
【００５８】
FFT演算部７６は、最大探索器７３から供給されるＰ１検出フラグに基づいて、セレクタ７５から供給されるＩ成分とＱ成分からなる1024個のデータの信号に対してFFT演算を行う。FFT演算部７６は、その結果得られるＩ成分とＱ成分からなる1024個のデータの信号をCDS相関器７７に供給する。また、FFT演算部７６は、シンボルスタート信号をCDS相関器７７に供給する。
【００５９】
CDS相関器７７は、FFT演算部７６からのシンボルスタート信号に応じて、図示せぬメモリに記憶されている有効キャリア番号を参照して、FFT演算部７６から供給されるＩ成分とＱ成分からなる1024個のデータの信号から、有効キャリアの384個のデータの信号を抽出し、デコード部７８に供給する。
【００６０】
また、CDS相関器７７は、FFT演算部７６から供給されるＩ成分とＱ成分からなる1024個のデータの信号の相関値を求める。CDS相関器７７は、その相関値に基づいて、キャリア単位のオフセット量Ｆｏｆｆｓｅｔ（以下、大単位オフセット量という）を求める。この大単位オフセット量Ｆｏｆｆｓｅｔは、局部発振部５３（図５）に供給される。これにより、局部発振部５３で生成される搬送波の中心周波数ＦＮＣが、ＦＮＣ＋Ｆｏｆｆｓｅｔに変更される。その結果、DVB-T2信号のキャリアのキャリア単位の周波数誤差が補正される。
【００６１】
以上のようにして、相関器７１、反転相関器７２、最大探索器７３、スペクトル反転器７４、セレクタ７５、FFT演算部７６、およびCDS相関器７７は、伝送路に関する復号化処理である伝送路復号化処理を行う。
【００６２】
デコード部７８は、CDS相関器７７から供給されるＩ成分とＱ成分からなる384個のデータの信号に対して、復号化、DBPSK復調、並びに、Ｓ１信号およびＳ２信号の抽出処理を行う。なお、デコード部７８による復号化は、図２のスクランブル部２３による暗号化に対応するものであり、DBPSK復調は、図２のDBPSK変調部２２によるDBPSK変調に対応するものであり、Ｓ１信号およびＳ２信号の抽出処理は、図２の384ビット信号生成部２１によるマッピングに対応するものである。
【００６３】
また、デコード部７８は、抽出されたＳ１およびＳ２を出力するとともに、最大探索器７３のレジスタ１６３および１７３（後述する図１２）のリセットをイネーブルにするイネーブルフラグをレジスタ１６３および１７３に出力する。
【００６４】
以上のようにして、デコード部７８は、Ｐ１信号が表す情報に関する復号化処理である情報源復号化処理を行う。
【００６５】
[相関器の説明]
図７は、図６の相関器７１の詳細構成例を示すブロック図である。
【００６６】
図７において、相関器７１は、周波数シフト器９１、遅延回路９２、乗算器９３、移動平均回路９４、遅延回路９５、遅延回路９６、乗算器９７、移動平均回路９８、および乗算器９９により構成される。
【００６７】
周波数シフト器９１は、図５の直交復調部５５から供給されるＩ成分とＱ成分からなる信号と、ｅの（−ｊ２πｆＳＨｔ）乗を乗算することにより、その信号の周波数を周波数ｆＳＨだけ低くする。これにより、直交復調部５５から供給される信号がスペクトル反転されていないＰ１信号である場合、そのＰ１信号の重複部Ｃおよび重複部Ｂの周波数が、実情報部Ａの元の周波数と同一となる。周波数シフト器９１は、周波数ｆＳＨだけ周波数が低くされた信号を遅延回路９２および乗算器９７に供給する。
【００６８】
遅延回路９２は、周波数シフト器９１から供給される信号を、Ｐ１信号の重複部Ｃの長さＴｃ分だけ遅延し、乗算器９３に供給する。
【００６９】
乗算器９３には、直交復調部５５から直交復調の結果得られる信号が入力されるとともに、遅延回路９２により遅延された信号が入力される。乗算器９３は、入力された信号どうしを乗算し、その乗算結果を移動平均回路９４に供給する。
【００７０】
移動平均回路９４は、乗算器９３から供給される乗算結果の移動平均値を求め、その結果を相関値Ｃとして遅延回路９５に供給する。
【００７１】
遅延回路９５は、遅延回路９５からの相関値Ｃが移動平均回路９８からの相関値Ｂと同時に乗算器９９に入力されるように、移動平均回路９４から供給される相関値Ｃを遅延させる。遅延回路９５は、遅延後の相関値Ｃを乗算器９９に供給する。
【００７２】
遅延回路９６は、直交復調部５５から供給される信号を、Ｐ１信号の重複部Ｂの長さＴｂ分だけ遅延させ、乗算器９７に供給する。
【００７３】
乗算器９７は、周波数シフト器９１から供給される信号と遅延回路９６からの信号を乗算し、乗算結果を移動平均回路９８に供給する。
【００７４】
移動平均回路９８は、乗算器９７から供給される乗算結果の移動平均値を求め、その結果を相関値Ｂとして乗算器９９に供給する。
【００７５】
乗算器９９は、遅延回路９５からの相関値Ｃと移動平均回路９８からの相関値Ｂを乗算し、乗算結果を相関値として最大探索器７３（図６）に供給する。
【００７６】
図８は、直交復調部５５から入力される信号がスペクトル反転されていないＰ１信号である場合の遅延前の相関値Ｂおよび相関値Ｃを説明する図であり、図９は、この場合の遅延後の相関値Ｂ、相関値Ｃ、および出力相関値を示す図である。
【００７７】
図８に示すように、直交復調部５５から入力される信号がスペクトル反転されていないＰ１信号である場合、遅延回路９２から出力されるＰ１信号は、直交復調部５５から入力されるＰ１信号の実情報部Ａの開始時刻から開始される。また、遅延回路９２から出力されるＰ１信号の重複部Ｃと重複部Ｂの周波数は、直交復調部５５から入力されるＰ１信号の実情報部Ａの周波数と同一となる。
【００７８】
さらに、遅延回路９６から出力されるＰ１信号は、重複部Ｂの開始位置が直交復調部５５から入力されるＰ１信号の重複部Ｂの終端位置と一致する信号となる。また、遅延回路９６から出力されるＰ１信号の実情報部Ａの周波数は、周波数シフト器９１から出力されるＰ１信号の重複部Ｃと重複部Ｂの周波数と同一となる。
【００７９】
以上により、図８に示すように、相関値Ｃは、直交復調部５５から入力されるＰ１信号の実情報部Ａの開始位置から長さＴｃの間所定の傾きで増加し、その後長さＴｒ−Ｔｃの間一定となり、その後長さＴｃの間所定の傾きで減少する。なお、長さＴｒとは、実情報部Ａの長さである。
【００８０】
また、図８に示すように、相関値Ｂは、直交復調部５５から入力されるＰ１信号の重複部Ｂの開始位置から長さＴｂの間所定の傾きで増加し、その後長さＴｒ−Ｔｂの間一定となり、その後長さＴｂの間所定の傾きで減少する。
【００８１】
以上のような相関値Ｃは遅延回路９５で遅延されることにより、図９に示すように、相関値Ｂと増加開始タイミングが同一となる。従って、相関値７１から出力される相関値は、図９に示すように、長さＴｂの間増加し、その後所定の傾きで２Ｋ（＝Ｔｃ−Ｔｂ）の間増加する。その後、相関値７１から出力される相関値は、長さＴｂの間一定となり、その後長さＴｂの間減少する。
【００８２】
これに対して、直交復調部５５から入力されるＰ１信号が、スペクトル反転されたＰ１信号である場合、周波数シフト器９１でＰ１信号の周波数が周波数ｆＳＨだけ低くされても、重複部ＢやＣと、それに対応する実情報部Ａが同一にはならない。その結果、相関値７１から出力される相関値は、図９の場合に比べて小さな値となる。
【００８３】
［反転相関器の詳細構成例］
図１０は、反転相関器７２の詳細構成例を示すブロック図である。
【００８４】
図１０の反転相関器７２は、周波数シフト器１１１、遅延回路１１２、乗算器１１３、移動平均回路１１４、遅延回路１１５、遅延回路１１６、乗算器１１７、移動平均回路１１８、および乗算器１１９により構成される。反転相関器７２の周波数シフト器１１１以外の各部は、図７の周波数シフト器９１以外の各部と同様であるので、説明は省略する。
【００８５】
周波数シフト器１１１は、図５の直交復調部５５から供給されるＩ成分とＱ成分からなる信号と、ｅの（ｊ２πｆＳＨｔ）乗を乗算することにより、その信号の周波数を周波数ｆＳＨだけ高くする。これにより、直交復調部５５から供給される信号がスペクトル反転されたＰ１信号である場合、そのＰ１信号の重複部Ｃおよび重複部Ｂの周波数が、実情報部Ａの元の周波数と同一となる。その結果、反転相関器７２から出力される相関値は、図９に示した相関値になる。
【００８６】
周波数シフト器１１１は、周波数ｆＳＨだけ周波数が高くされた信号を遅延回路１１２および乗算器１１７に供給する。
【００８７】
［反転相関器の他の詳細構成例］
図１１は、反転相関器７２の他の詳細構成例を示すブロック図である。
【００８８】
図１１に示す構成のうち、図１０の構成と同じ構成には同じ符号を付してある。重複する説明については適宜省略する。
【００８９】
図１１の反転相関器７２の構成は、主に、スペクトル反転器１２０が新たに設けられ、周波数シフト器１１１の代わりに周波数シフト器１２１が設けられる点が、図１０の構成と異なる。図１１の反転相関器７２は、直交復調部５５から供給される信号に対してスペクトル反転処理を行い、その結果得られる信号に対して相関器７１と同様の処理を行う。
【００９０】
具体的には、図１１の反転相関器７２のスペクトル反転器１２０は、直交復調部５５から供給されるＩ成分とＱ成分からなる信号に対してスペクトル反転処理を行い、その結果得られる信号を、乗算器１１３、周波数シフト器１２１、および遅延回路１１６に供給する。
【００９１】
周波数シフト器１２１は、スペクトル反転器１２０から供給される信号と、ｅの（−ｊ２πｆＳＨｔ）乗を乗算することにより、その信号の周波数を周波数ｆＳＨだけ低くする。これにより、直交復調部５５から供給される信号がスペクトル反転されたＰ１信号である場合、そのＰ１信号に対してスペクトル反転処理が行われた結果得られる信号の重複部Ｃおよび重複部Ｂの周波数が、実情報部Ａの元の周波数と同一となる。その結果、反転相関器７２から出力される相関値は、図９に示した相関値になる。
【００９２】
周波数シフト器１２１は、周波数ｆＳＨだけ周波数が低くされた信号を遅延回路１１２および乗算器１１７に供給する。
【００９３】
[最大探索器の説明]
図１２は、図６の最大探索器７３の詳細構成例を示すブロック図である。
【００９４】
図１２に示すように、最大探索器７３は、最大値検出部１５１、反転最大値検出部１５２、比較部１５３、選択部１５４、および出力部１５５により構成される。
【００９５】
最大値検出部１５１は、絶対値演算部１６１、選択部１６２、レジスタ１６３、比較部１６４、比較部１６５、およびＡＮＤ回路１６６により構成される。最大値検出部１５１は、図６の相関器７１から供給されるＩ成分とＱ成分からなる相関値の最大値を検出する。
【００９６】
絶対値演算部１６１は、相関器７１から供給されるＩ成分とＱ成分からなる相関値の絶対値を求め、選択部１６２、比較部１６４、および比較部１６５に供給する。
【００９７】
選択部１６２は、ＡＮＤ回路１６６から供給されるＰ１検出フラグに基づいて、絶対値演算部１６１から供給される絶対値と、レジスタ１６３から出力される現時点で最大の絶対値のうちのいずれか一方を選択し、レジスタ１６３に供給する。
【００９８】
レジスタ１６３は、選択部１６２から供給される絶対値を、現時点で最大の絶対値として記憶する。また、レジスタ１６３は、保持している絶対値を、選択部１６２、比較部１６４、および比較部１５３に供給する。さらに、レジスタ１６３は、デコード部７８（図６）から出力されるイネーブルフラグに応じて、保持している絶対値を０にリセットする。
【００９９】
比較部１６４は、絶対値演算部１６１から供給される絶対値と、レジスタ１６３から供給される現時点で最大の絶対値とを比較し、比較結果をＡＮＤ回路１６６に供給する。
【０１００】
比較部１６５は、絶対値演算部１６１から供給される絶対値と、外部から入力される閾値とを比較し、比較結果をＡＮＤ回路１６６に供給する。閾値は、例えば、Ｐ１復号化処理部５７に内蔵する図示せぬメモリに予め保持されている。
【０１０１】
ＡＮＤ回路１６６は、比較部１６４からの比較結果が、絶対値が現時点での最大の絶対値以上であることを表し、かつ、比較部１６５からの比較結果が、絶対値が閾値以上であることを表す場合、Ｐ１信号の検出の有りを表すＨレベルの信号をＰ１検出フラグとして出力する。即ち、ＡＮＤ回路１６６は、絶対値が現時点での最大の絶対値となり、かつ、絶対値が閾値以上である場合、Ｈレベルの信号をＰ１検出フラグとして出力する。
【０１０２】
一方、ＡＮＤ回路１６６は、それ以外の場合、Ｐ１信号の検出の無しを表すＬレベルの信号をＰ１検出フラグとして出力する。
【０１０３】
反転最大値検出部１５２は、絶対値演算部１７１、選択部１７２、レジスタ１７３、比較部１７４および１７５、およびＡＮＤ回路１７６により構成される。反転最大値検出部１５２は、反転相関器７２から供給されるＩ成分とＱ成分からなる相関値の最大値を検出する。
【０１０４】
なお、反転最大値検出部１５２の構成および処理は、処理対象が反転相関器７２から供給される相関値である点を除いて、最大値検出部１５１と同様であるため、説明は省略する。
【０１０５】
比較部１５３は、最大値検出部１５１のレジスタ１６３から供給される絶対値と、反転最大値検出部１５２のレジスタ１７３から供給される絶対値を比較する。
【０１０６】
比較部１５３は、比較の結果、レジスタ１６３からの絶対値が大きい場合、スペクトル反転の発生の無しを表すスペクトル反転検出信号を、選択部１５４と出力部１５５に出力する。一方、レジスタ１７３からの絶対値が大きい場合、比較部１５３は、スペクトル反転の発生の有りを表すスペクトル反転検出信号を、選択部１５４と出力部１５５に出力する。
【０１０７】
選択部１５４は、比較部１５３から供給されるスペクトル反転検出信号にしたがって、最大値検出部１５１のAND回路１６６からのＰ１検出フラグ、または、反転最大値検出部１５２のAND回路１７６からのＰ１検出フラグを選択し、出力部１５５とFFT演算部７６（図６）に供給する。
【０１０８】
出力部１５５は、選択部１５４から供給されるＰ１検出フラグのレベルに応じて、比較部１５３から供給されるスペクトル反転検出信号をセレクタ７５（図６）およびセレクタ５９（図５）に出力する。具体的には、出力部１５５は、Ｐ１検出フラグのレベルがＨレベルである場合、即ちＰ１信号が検出されている場合、スペクトル反転検出信号を出力する。つまり、出力部１５５から出力されるスペクトル反転検出信号は、Ｐ１信号を用いて検出されたスペクトル反転の発生の有無を表す信号である。
【０１０９】
[受信システムの処理の説明]
図１３および図１４は、図５の受信システム５０によるＰ１復調処理を説明するフローチャートである。
【０１１０】
ステップＳ３１において、図５の局部発振部５３および５６は、帯域幅ＢＷを選択する。ステップＳ３２において、局部発振部５３は、中心周波数ＦＮＣを選択する。ステップＳ３３において、周波数変換部５２は、アンテナ５１により受信されたＲＦ信号と、局部発振部５３から供給される発振周波数（ＦＮＣ+ＢＷ）の搬送波を乗算し、ＲＦ信号を中心周波数ＦＮＣのＩＦ信号に変換する。周波数変換部５２は、このＩＦ信号をA/D変換部５４に供給する。
【０１１１】
ステップＳ３４において、A/D変換部５４は、周波数変換部５２から供給されるＩＦ信号に対してA/D変換を行い、その結果得られるデジタル化されたＩＦ信号を直交復調部５５に供給する。
【０１１２】
ステップＳ３５において、直交復調部５５は、A/D変換部５４から供給されるＩＦ信号を、局部発振部５６から供給される搬送波を用いて直交復調する。直交復調部５５は、直交復調の結果得られるＩ成分とＱ成分からなる信号をＰ１復号化処理部５７、スペクトル反転器５８、およびセレクタ５９に供給する。
【０１１３】
ステップＳ３６において、Ｐ１復号化処理部５７のスペクトル反転器７４（図６）は、直交復調部５５から供給されるＩ成分とＱ成分からなる信号に対してスペクトル反転処理を行う。
【０１１４】
ステップＳ３７において、相関器７１（図６）は、直交復調部５５から供給されるＩ成分とＱ成分からなる信号においてスペクトル反転が発生していないものとして、その信号の相関値を求め、最大探索器７３に供給する。また、反転相関器７２は、直交復調部５５から供給されるＩ成分とＱ成分からなる信号においてスペクトル反転が発生しているものとして、その信号の相関値を求め、最大探索器７３に供給する。
【０１１５】
ステップＳ３８において、最大探索器７３は、Ｐ１信号検出処理およびスペクトル反転検出処理を行う。このＰ１信号検出処理およびスペクトル反転検出処理の詳細は、後述する図１５を参照して説明する。
【０１１６】
ステップＳ３９において、セレクタ７５は、ステップＳ３８のＰ１信号検出処理およびスペクトル反転検出処理の結果最大探索器７３から供給されるスペクトル反転検出信号を用いて、スペクトル反転が発生したかどうかを判定する。
【０１１７】
ステップＳ３９でスペクトル反転が発生したと判定された場合、即ちスペクトル反転検出信号がスペクトル反転の発生の有りを表す場合、処理はステップＳ４０に進む。ステップＳ４０において、セレクタ７５は、スペクトル反転器７４によりスペクトル反転処理が行われた信号を選択してFFT演算部７６に出力し、処理をステップＳ４２に進む。
【０１１８】
一方、ステップＳ３９でスペクトル反転が発生していないと判定された場合、即ちスペクトル反転検出信号がスペクトル反転の発生の無しを表す場合、処理はステップＳ４１に進む。ステップＳ４１において、セレクタ７５は、スペクトル反転処理が行われていない、直交復調部５５から供給された信号そのものを選択してFFT演算部７６に出力し、処理をステップＳ４２に進める。
【０１１９】
ステップＳ４２において、FFT演算部７６は、ステップＳ３８のＰ１信号検出処理およびスペクトル反転検出処理の結果最大探索器７３から供給されるＰ１検出フラグのレベルがＨレベルであるかどうかを判定する。ステップＳ４２でＰ１検出フラグのレベルがＨレベルであると判定された場合、ステップＳ４３において、FFT演算部７６は、セレクタ７５から供給される信号に付与する番号の値Ｎを０に設定する。即ち、FFT演算部７６はFFT演算処理をリセットする。そして、処理はステップＳ４６に進む。
【０１２０】
一方、ステップＳ４２でＰ１検出フラグのレベルがＨレベルではないと判定された場合、即ちＰ１検出フラグのレベルがＬレベルである場合、処理はステップＳ４４に進む。
【０１２１】
ステップＳ４４において、FFT演算部７６は、値Ｎが設定されているかどうかを判定し、値Ｎがまだ設定されていないと判定された場合、処理はステップＳ３８に戻る。そして、Ｐ１検出フラグのレベルがＨレベルになるまで、ステップＳ３８乃至Ｓ４２およびＳ４４の処理が繰り返される。
【０１２２】
ステップＳ４４において、値Ｎが設定されていると判定された場合、ステップＳ４５において、FFT演算部７６は、Ｎを１だけインクリメントし、処理をステップＳ４６に進める。
【０１２３】
ステップＳ４６において、FFT演算部７６は、値Ｎが１０２３であるかどうかを判定する。ステップＳ４６で値Ｎが１０２３ではないと判定された場合、処理はステップＳ３８に戻り、値Ｎが１０２３になるまでステップＳ３８乃至Ｓ４６の処理が繰り返される。
【０１２４】
以上のように、FFT演算部７６は、値Ｎが１０２３になるまでにＰ１検出フラグのレベルがＨレベルになる場合、FFT演算処理をリセットする。従って、プリエコーが存在するようなマルチパス環境でＰ１信号が送信されてくる場合であっても、Ｐ１信号の主波に対してFFT演算を行うことができる。
【０１２５】
ステップＳ４６で値Ｎが１０２３であると判定された場合、図１４のステップＳ４７において、FFT演算部７６は、０乃至１０２３の番号が付与された信号に対してFFT演算を行い、その結果得られる1024個のデータの信号をCDS相関器７７に供給する。また、FFT演算部７６は、シンボルスタート信号をCDS相関器７７に供給する。
【０１２６】
ステップＳ４８において、CDS相関器７７は、内蔵するメモリに記憶されている有効キャリア番号を参照して、FFT演算部７６から供給される1024個のデータの信号から384個のデータの信号を抽出する。CDS相関器７７は、抽出された384個のデータの信号をデコード部７８に供給する。
【０１２７】
ステップＳ４９において、CDS相関器７７は、FFT演算部７６から供給される1024個のデータの信号の相関値を求める。
【０１２８】
ステップＳ５０において、CDS相関器７７は、相関値のピークを検出したかどうかを判定し、相関値のピークを検出したと判定した場合、処理をステップＳ５１に進める。
【０１２９】
ステップＳ５１において、CDS相関器７７は、相関値のピークに基づいて大単位オフセット量Ｆｏｆｆｓｅｔを検出し、局部発振部５３に供給する。
【０１３０】
ステップＳ５２において、局部発振部５３は、大単位オフセット量Ｆｏｆｆｓｅｔを用いて中心周波数ＦＮＣをＦＮＣ＋Ｆｏｆｆｓｅｔに変更し、DVB-T2信号のキャリアのキャリア単位の周波数誤差を補正する。
【０１３１】
ステップＳ５３において、デコード部７８は、CDS相関器７７から供給される384個のデータの信号に対して、復号化、DBPSK復調、並びに、Ｓ１信号およびＳ２信号の抽出処理を行う。
【０１３２】
ステップＳ５４において、デコード部７８は、Ｓ１信号およびＳ２信号を出力するとともに、イネーブルフラグを出力する。このイネーブルフラグに応じて、最大探索器７３のレジスタ１６３および１７３(図１２)の値が０にリセットされる。また、ステップＳ５４で出力されたＳ１信号およびＳ２信号は、データ復号化処理部６０において用いられる。ステップＳ５４の処理後、処理はステップＳ５５に進む。
【０１３３】
一方、ステップＳ５０で相関値のピークを検出していないと判定された場合、処理はステップＳ５５に進む。
【０１３４】
ステップＳ５５において、最大探索器７３は、アンテナ５１による受信が終了したか、即ち相関器７１および反転相関器７２から相関値が入力されなくなったかどうかを判定する。ステップＳ５５でアンテナ５１による受信が終了していないと判定された場合、処理は図１３のステップＳ３８に戻り、アンテナ５１による受信が終了するまで、ステップＳ３８乃至Ｓ５５の処理が繰り返される。
【０１３５】
一方、ステップＳ５５でアンテナ５１による受信が終了したと判定された場合、処理は終了する。
【０１３６】
図１５は、図１３のステップＳ３８のＰ１信号検出処理およびスペクトル反転検出処理を説明するフローチャートである。
【０１３７】
ステップＳ６１において、最大探索器７３の最大値検出部１５１（図１２）は、相関器７１から供給される相関値の最大値を検出する最大値検出処理を行う。また、反転最大値検出部１５２は、反転相関器７２から供給される相関値の最大値を検出する反転最大値検出処理を行う。
【０１３８】
最大値検出処理の詳細については、後述する図１６を参照して説明する。反転最大値検出処理は、処理対象である相関値が相関器７１から供給されるものではなく、反転相関器７２から供給されるものである点を除いて最大値検出処理と同様であるので、反転最大値検出処理の詳細な説明は省略する。
【０１３９】
ステップＳ６２において、比較部１５３は、ステップＳ６１の最大値検出処理により最大値検出部１５１から供給される最大値と、ステップＳ６１の反転最大値検出処理により反転最大値検出部１５２から供給される最大値を比較する。
【０１４０】
ステップＳ６３において、比較部１６４は、反転最大値検出部１５２からの最大値が、最大値検出部１５１からの最大値以上であるかどうかを判定する。
【０１４１】
ステップＳ６３で、反転最大値検出部１５２からの最大値が、最大値検出部１５１からの最大値以上であると判定された場合、処理はステップＳ６４に進む。ステップＳ６４において、比較部１６４は、スペクトル反転の発生の有りを表すスペクトル反転検出信号を選択部１５４と出力部１５５に出力する。そして処理はステップＳ６６に進む。
【０１４２】
一方、ステップＳ６３で、反転最大値検出部１５２からの最大値が、最大値検出部１５１からの最大値より小さいと判定された場合、処理はステップＳ６５に進む。ステップＳ６５において、比較部１６４は、スペクトル反転の発生の無しを表すスペクトル反転検出信号を選択部１５４と出力部１５５に供給する。そして処理はステップＳ６６に進む。
【０１４３】
ステップＳ６６において、選択部１５４は、比較部１５３から供給されるスペクトル反転検出信号にしたがって、スペクトル反転が発生しているかどうかを判定する。ステップＳ６６でスペクトル反転が発生していると判定された場合、即ちスペクトル反転検出信号がスペクトル反転の発生の有りを表す信号である場合、処理はステップＳ６７に進む。
【０１４４】
ステップＳ６７において、選択部１５４は、反転最大値検出処理の結果反転最大値検出部１５２から供給されるＰ１検出フラグを選択して出力部１５５とFFT演算部７６に出力し、処理をステップＳ６９に進める。
【０１４５】
一方、ステップＳ６６でスペクトル反転が発生していないと判定された場合、即ちスペクトル反転検出信号がスペクトル反転の発生の無しを表す信号である場合、処理はステップＳ６８に進む。
【０１４６】
ステップＳ６８において、選択部１５４は、最大値検出処理の結果最大値検出部１５１から供給されるＰ１検出フラグを選択して出力部１５５とFFT演算部７６に出力し、処理をステップＳ６９に進める。
【０１４７】
ステップＳ６９において、出力部１５５は、選択部１５４から供給されるＰ１信号のレベルがＨレベルであるかどうかを判定する。ステップＳ６９でＰ１信号のレベルがＨレベルであると判定された場合、処理はステップＳ７０に進む。
【０１４８】
ステップＳ７０において、出力部１５５は、比較部１５３から供給されるスペクトル反転検出信号をセレクタ７５（図６）とセレクタ５９（図５）に出力する。
【０１４９】
セレクタ７５およびセレクタ５９は、スペクトル反転検信号がスペクトル反転の発生の有りを表す場合、スペクトル反転処理が行われた信号を選択して出力し、スペクトル反転検出信号がスペクトル反転の発生の無しを表す場合、スペクトル反転処理が行われていない信号を選択して出力する。
【０１５０】
その結果、スペクトル反転検出信号がスペクトル反転の発生の有りを表す場合、Ｐ１復号化処理部５７のセレクタ７５の後段でスペクトル反転処理が行われたＰ１信号が復調され、データ復号化処理部６０で、スペクトル反転処理が行われたＰ２信号やデータ信号が復調される。一方、スペクトル反転検出信号がスペクトル反転の発生の無しを表す場合、セレクタ７５の後段でスペクトル反転処理が行われていないＰ１信号が復調され、データ復号化処理部６０で、スペクトル反転処理が行われていないＰ２信号やデータ信号が復調される。
【０１５１】
即ち、受信システム５０では、受信されたDVB-T2信号においてスペクトル反転が発生した場合、そのDVB-T2信号に対してスペクトル反転処理が行われた信号が復調され、スペクトル反転が発生していない場合、DVB-T2信号がそのまま復調される。従って、受信システム５０では、受信されたDVB-T2信号においてスペクトル反転が発生した場合であっても、DVB-T2信号を正確に復調することができる。
【０１５２】
ステップＳ７０の処理後、または、ステップＳ６９でＰ１信号のレベルがＨレベルではない、即ちＰ１信号のレベルがＬレベルであると判定された場合、処理は図１３のステップＳ３８に戻り、ステップＳ３９に進む。
【０１５３】
図１６は、図１５のステップＳ６１で最大値検出部１５１により行われる最大値検出処理を説明するフローチャートである。
【０１５４】
ステップＳ７１において、絶対値演算部１６１は、相関器７１から供給されるＩ成分とＱ成分からなる相関値の絶対値を求め、選択部１６２、比較部１６４、および比較部１６５に供給する。
【０１５５】
ステップＳ７２において、比較部１６４は、絶対値演算部１６１から供給される絶対値と、レジスタ１６３から供給される現時点で最大の絶対値とを比較し、比較結果をＡＮＤ回路１６６に供給する。
【０１５６】
ステップＳ７３において、比較部１６５は、絶対値演算部１６１から供給される絶対値と、外部から入力される閾値とを比較し、比較結果をＡＮＤ回路１６６に供給する。
【０１５７】
ステップＳ７４において、ＡＮＤ回路１６６は、比較部１６４および１６５からの比較結果に基づいて、絶対値が現時点での最大の絶対値以上であり、かつ、絶対値が閾値以上であるかどうかを判定する。
【０１５８】
ステップＳ７４で絶対値が現時点での最大の絶対値以上であり、かつ、絶対値が閾値以上であると判定された場合、ステップＳ７５において、ＡＮＤ回路１６６は、Ｈレベルの信号をＰ１検出フラグとして選択部１５４に出力する。このＰ１検出フラグは、スペクトル反転検出信号がスペクトル反転の発生の無しを表す場合、選択部１５４により選択され、出力される。
【０１５９】
ステップＳ７６において、選択部１６２は、絶対値演算部１６１から供給される絶対値を選択してレジスタ１６３に供給し、処理をステップＳ７９に進める。
【０１６０】
一方、ステップＳ７４で絶対値が現時点での最大の絶対値以上ではないか、または、絶対値が閾値以上ではないと判定された場合、ステップＳ７７において、ＡＮＤ回路１６６は、Ｌレベルの信号をＰ１検出フラグとして選択部１５４に出力する。このＰ１検出フラグは、スペクトル反転検出信号がスペクトル反転の発生の無しを表す場合、選択部１５４により選択され、出力される。
【０１６１】
ステップＳ７８において、選択部１６２は、レジスタ１６３から供給される現時点での最大の絶対値を選択してレジスタ１６３に供給し、処理をステップＳ７９に進める。
【０１６２】
ステップＳ７９において、レジスタ１６３は、選択部１６２から供給される絶対値を、現時点で最大の絶対値として記憶する。この絶対値は選択部１６２と比較部１６４に供給される。
【０１６３】
以上のように、受信システム５０は、Ｐ１信号を用いてスペクトル反転の発生の有無を検出し、スペクトル反転の発生の有りが検出された場合、スペクトル反転処理が行われた受信信号を復調し、スペクトル反転の発生の無しが検出された場合、スペクトル反転処理が行われていない受信信号を復調する。従って、Ｐ１信号を正確に復調して、フレームの復調に必要なＳ１信号およびＳ２信号を得ることができる。また、そのＳ１信号およびＳ２信号と、検出されたスペクトル反転の発生の有無とに基づいて、Ｐ２信号やデータ信号を正確に復調することができる。
【０１６４】
さらに、受信システム５０は、DVB-T2信号の相関値を算出して、その相関値の絶対値の現時点での最大値を検出し、最大値が検出されるたびに、DVB-T2信号のFFT演算処理をリセットするので、相関値がDVB-T2信号内で最大となる位置をＰ１信号の検出位置としてＰ１信号を検出することができる。
【０１６５】
[最大探索器の他の詳細構成例]
図１７は、最大探索器７３の他の詳細構成例を示すブロック図である。
【０１６６】
図１７の最大探索器７３は、絶対値演算部１６１、絶対値演算部１７１、比較部２０１、選択部２０２、レジスタ２０３、比較部２０４、比較部２０５、ＡＮＤ回路２０６、および出力部１５５により構成される。
【０１６７】
なお、図１７に示す構成のうち、図１２の構成と同じ構成には同じ符号を付してある。重複する説明については適宜省略する。
【０１６８】
図１７の最大探索器７３は、相関器７１および反転相関器７２の両方から出力される相関値の最大値を検出し、Ｐ１検出フラグを出力する。
【０１６９】
具体的には、比較部２０１は、絶対値演算部１６１から供給される相関器７１からの相関値の絶対値と、絶対値演算部１７１から供給される反転相関器７２からの相関値の絶対値を比較する。
【０１７０】
比較部２０１は、比較の結果、反転相関器７２からの相関値の絶対値が相関器７１からの相関値の絶対値以上である場合、スペクトル反転の発生の有りを表すスペクトル反転検出信号を出力部１５５に供給する。また、このとき、比較部２０１は、反転相関器７２からの相関値の絶対値を選択部２０２に出力する。
【０１７１】
一方、反転相関器７２からの相関値の絶対値が相関器７１からの相関値の絶対値より小さい場合、比較部２０１は、スペクトル反転の発生の無しを表すスペクトル反転検出信号を出力部１５５に供給する。また、このとき、比較部２０１は、相関器７１からの相関値の絶対値を選択部２０２に出力する。
【０１７２】
選択部２０２は、ＡＮＤ回路２０６から供給されるＰ１検出フラグに基づいて、比較部２０１から供給される絶対値と、レジスタ２０３から出力される現時点で最大の絶対値のうちのいずれか一方を選択し、レジスタ２０３に供給する。
【０１７３】
レジスタ２０３は、選択部２０２から供給される絶対値を、現時点で最大の絶対値として記憶する。また、レジスタ２０３は、保持している絶対値を、選択部２０２と比較部２０４に供給する。さらに、レジスタ２０３は、デコード部７８（図６）から出力されるイネーブルフラグに応じて、保持している絶対値を０にリセットする。
【０１７４】
比較部２０４は、比較部２０１から供給される絶対値と、レジスタ２０３から供給される現時点で最大の絶対値とを比較し、比較結果をＡＮＤ回路２０６に供給する。
【０１７５】
比較部２０５は、比較部２０１から供給される絶対値と、外部から入力される閾値とを比較し、比較結果をＡＮＤ回路２０６に供給する。閾値は、例えば、Ｐ１復号化処理部５７に内蔵する図示せぬメモリに予め保持されている。
【０１７６】
ＡＮＤ回路２０６は、比較部２０４からの比較結果が、絶対値が現時点での最大の絶対値以上であることを表し、かつ、比較部２０５からの比較結果が、絶対値が閾値以上であることを表す場合、Ｈレベルの信号をＰ１検出フラグとして出力部１５５とFFT演算部７６（図６）に出力する。一方、ＡＮＤ回路２０６は、それ以外の場合、Ｌレベルの信号をＰ１検出フラグとして出力部１５５とFFT演算部７６に出力する。
【０１７７】
＜第２実施の形態＞
図１８は、本発明を適用した受信システムの第２実施の形態の構成例を示すブロック図である。
【０１７８】
図１８に示す構成のうち、図５の構成と同じ構成には同じ符号を付してある。重複する説明については適宜省略する。
【０１７９】
図１８の受信システム２５０の構成は、主に、Ｐ１復号化処理部５７の代わりにＰ１復号化処理部２５１が設けられている点が図５の構成と異なる。受信システム２５０は、１つの相関器でスペクトル反転の発生の有無を検出する。
【０１８０】
詳細には、Ｐ１復号化処理部２５１は、直交復調部５５から供給される信号においてスペクトル反転が発生しているものとしてＰ１信号を検出する反転有り用Ｐ１検出処理、および、直交復調部５５から供給される信号においてスペクトル反転が発生していないものとしてＰ１信号を検出する反転無し用Ｐ１検出処理を、時分割で行う。
【０１８１】
また、Ｐ１復号化処理部２５１は、反転有り用Ｐ１検出処理を行う場合、スペクトル反転の発生の有りを表すスペクトル反転検出信号を生成し、反転無し用Ｐ１検出処理を行う場合、スペクトル反転の発生の無しを表すスペクトル反転検出信号を生成するスペクトル反転検出処理を行う。Ｐ１復号化処理部２５１は、Ｐ１信号が検出された場合、スペクトル反転検出信号をセレクタ５９に供給する。また、Ｐ１復号化処理部２５１は、検出されたＰ１信号を復号化し、その結果得られるＳ１信号およびＳ２信号をデータ復号化処理部６０に供給する。
【０１８２】
[Ｐ１復号化処理部の詳細構成例]
図１９は、図１８のＰ１復号化処理部２５１の詳細構成例を示すブロック図である。
【０１８３】
図１９に示す構成のうち、図６の構成と同じ構成には同じ符号を付してある。重複する説明については適宜省略する。
【０１８４】
図１９のＰ１復号化処理部２５１の構成は、主に、相関器７１と反転相関器７２の代わりに１つの相関器２６１が設けられ、最大探索器７３の代わりに最大探索器２６２が設けられている点が図６の構成と異なる。
【０１８５】
Ｐ１復号化処理部２５１の相関器２６１は、最大探索器２６２から供給される、反転有り用Ｐ１検出処理と反転無し用Ｐ１検出処理のいずれか一方から他方への切り替えを表す切り替えフラグにしたがって、図１８の直交復調部５５から供給される信号の相関値を求める。
【０１８６】
具体的には、相関器２６１は、切り替えフラグが反転有り用Ｐ１検出処理への切り替えを表す場合、直交復調部５５から供給される信号においてスペクトル反転が発生しているものとして、その信号の相関値を求める。一方、切り替えフラグが反転無し用Ｐ１検出処理への切り替えを表す場合、相関器２６１は、直交復調部５５から供給される信号においてスペクトル反転が発生していないものとして、その信号の相関値を求める。そして、相関器２６１は、求められた相関値を最大探索器２６２に供給する。なお、相関器２６１の詳細については、後述する図２０を参照して説明する。
【０１８７】
最大探索器２６２は、相関器２６１から供給される相関値を用いてＰ１信号を検出するとともに、スペクトル反転の発生の有無を検出する。そして、最大探索器２６２は、Ｐ１検出フラグをFFT演算部７６に供給し、スペクトル反転検出信号をセレクタ７５とセレクタ５９（図１８）に供給する。また、最大探索器２６２は、Ｐ１検出フラグに応じて、切り替えフラグを相関器２６１に供給する。なお、最大探索器２６２の詳細については、後述する図２１を参照して説明する。
【０１８８】
[相関器の詳細構成例]
図２０は、図１９の相関器２６１の詳細構成例を示すブロック図である。
【０１８９】
図２０に示す構成のうち、図７の構成と同じ構成には同じ符号を付してある。重複する説明については適宜省略する。
【０１９０】
図２０の相関器２６１の構成は、主に、選択部２７２が新たに設けられ、周波数シフト器９１の代わりに周波数シフト器２７１が設けられている点が図７の構成と異なる。
【０１９１】
周波数シフト器２７１は、図１８の直交復調部５５から供給される信号と、選択部２７２から供給されるｅの（−ｊ２πｆＳＨｔ）乗またはｅの（ｊ２πｆＳＨｔ）を乗算することにより、その信号の周波数を周波数ｆＳＨだけシフトする。周波数シフト器２７１は、周波数ｆＳＨだけ周波数がシフトされた信号を遅延回路９２および乗算器９７に供給する。
【０１９２】
選択部２７２は、最大探索器２６２から供給される切り替えフラグにしたがって、ｅの（−ｊ２πｆＳＨｔ）乗またはｅの（ｊ２πｆＳＨｔ）を選択し、周波数シフト器２７１に供給する。具体的には、選択部２７２は、切り替えフラグが反転無し用Ｐ１検出処理への切り替えを表す場合、ｅの（−ｊ２πｆＳＨｔ）乗を周波数シフト器２７１に供給する。一方、選択部２７２は、切り替えフラグが反転有り用Ｐ１検出処理への切り替えを表す場合、ｅの（ｊ２πｆＳＨｔ）乗を周波数シフト器２７１に供給する。
【０１９３】
[最大探索器の詳細構成例]
図２１は、図１９の最大探索器２６２の詳細構成例を示すブロック図である。
【０１９４】
図２１に示す構成のうち、図１７の構成と同じ構成には同じ符号を付してある。重複する説明については適宜省略する。
【０１９５】
図２１の最大探索器２６２の構成は、主に、絶対値演算部１６１、絶対値演算部１７１、および比較部２０１の代わりに１つの絶対値演算部２８１が設けられ、切替部２８２が新たに設けられている点が図１７の構成と異なる。
【０１９６】
絶対値演算部２８１は、相関器２６１（図２０）から供給されるＩ成分とＱ成分からなる相関値の絶対値を求め、選択部２０２、比較部２０４、および比較部２０５に供給する。
【０１９７】
切替部２８２は、AND回路２０６から出力されるＰ１検出フラグを用いて切り替えフラグを相関器２６１に出力する。具体的には、例えば、切替部２８２は、所定の時間以上Ｐ１検出フラグがAND回路２０６から出力されない場合、現在行われている反転スペクトル有り用Ｐ１検出処理または反転スペクトル無し用Ｐ１検出処理の一方に対応する反転スペクトルの発生の有無が間違っていると判断し、他方への切り替えフラグを相関器２６１に出力する。
【０１９８】
また、切替部２８２は、Ｐ１検出フラグのレベルがＨレベルである場合、切り替えフラグが表す切り替え先の処理に対応するスペクトル反転の発生の有無を検出する。そして、切替部２８２は、スペクトル反転検出信号をセレクタ７５（図１９）とセレクタ５９（図１８）に出力する。
【０１９９】
即ち、Ｐ１検出フラグのレベルがＨレベルである場合に、相関器２６１により求められた相関値が、直交復調部５５から供給される信号においてスペクトル反転が発生しているものとして求められた相関値であるとき、スペクトル反転の発生の有りを表すスペクトル反転検出信号が出力される。また、Ｐ１検出フラグのレベルがＨレベルである場合に、相関器２６１により求められた相関値が、直交復調部５５から供給される信号においてスペクトル反転が発生していないものとして求められた相関値であるとき、スペクトル反転の発生の無しを表すスペクトル反転検出信号が出力される。
【０２００】
なお、受信システム２５０では、所定の時間以上Ｐ１検出フラグが出力されない場合に、反転スペクトルの発生の有無が間違っていると判断されたが、判断方法は、これに限定されない。例えば、デコード部７８（図１９）から出力されるＴ２フレームのＳ１信号およびＳ２信号が一定の値ではなく、Ｐ１信号の復号化が正常に行われていないと判断される場合、反転スペクトルの発生の有無が間違っていると判断されてもよい。
【０２０１】
また、受信システム２５０では、反転スペクトルの発生の有無が間違っていると判断された場合に、周波数シフト器２７１による周波数のシフトの方向が変更されたが、周波数シフト器２７１は、所定の時間ごとに各方向で周波数をシフトするようにしてもよい。この場合、最大探索器２６２は、各方向で周波数がシフトされた場合の相関値の最大値をそれぞれ求め、その最大値どうしを比較して大きい方の最大値に対応する反転スペクトル検出信号とＰ１検出フラグを出力する。
【０２０２】
＜第３実施の形態＞
［受信システムの第３実施の形態の構成例］
図２２は、本発明を適用した受信システムの第３実施の形態の構成例を示すブロック図である。
【０２０３】
図２２に示す構成のうち、図５の構成と同じ構成には同じ符号を付してある。重複する説明については適宜省略する。
【０２０４】
図２２の受信システム２９０の構成は、主に、出力部６１の代わりに記録制御部２９１および記録部２９２が設けられている点が図５の構成と異なる。受信システム２９０は、放送信号に対応する画像や音声を出力せず、放送信号を記録する。
【０２０５】
詳細には、記録制御部２９１は、データ復号化処理部６０から出力される放送信号を記録部２９２に記録させる。記録部２９２は、ハードディスク、または、磁気ディスク、光ディスク、光磁気ディスク、半導体メモリなどのリムーバブルメディアにより構成される。
【０２０６】
なお、図示は省略するが、図１８の受信システム２５０の出力部６１の代わりに記録制御部２９１および記録部２９２が設けられるようにしてもよい。
【０２０７】
上述した放送信号はIP-TV放送の放送信号であってもよい。この場合、送信システム１０および受信システム５０（２５０，２９０）では、DVB-T2信号の送受信用にネットワークインターフェースが設けられ、伝送路としてインターネットが用いられる。また、放送信号は、CATV放送の放送信号であってもよい。この場合、送信システム１０および受信システム５０（２５０，２９０）では、DVB-T2信号の送受信用にケーブルが接続された端子が設けられ、伝送路としてケーブルが用いられる。
【０２０８】
また、上述した説明では、スペクトル反転の発生の有無の検出結果によらず、スペクトル反転器５８が、常にスペクトル反転処理を行うようにしたが、スペクトル反転器５８は、スペクトル反転の発生の有りが検出された場合にのみ、スペクトル反転処理を行うようにしてもよい。
【０２０９】
この場合、スペクトル反転器５８には、Ｐ１復号化処理部５７からスペクトル反転検出信号が入力され、スペクトル反転器５８は、そのスペクトル反転検出信号がスペクトル反転の発生の有りを表す場合、スペクトル反転処理を行い、スペクトル反転検出信号がスペクトル反転の発生の無しを表す場合、スペクトル反転処理を行わない。そして、セレクタ５９は設けられず、スペクトル反転器５８は、その結果得られるＩ成分とＱ成分からなる信号をデータ復号化処理部６０に供給する。
【０２１０】
ところで、上述した一連の処理は、ハードウエアにより実行させることもできるが、ソフトウエアにより実行させることができる。
【０２１１】
この場合、上述した受信システムの少なくとも一部として、例えば、図２３に示すパーソナルコンピュータを採用してもよい。
【０２１２】
図２３において、CPU（Central Processing Unit）３０１は、ROM（Read Only Memory）３０２に記録されているプログラム、または記憶部３０８からRAM（Random Access Memory）３０３にロードされたプログラムに従って各種の処理を実行する。RAM３０３にはまた、CPU３０１が各種の処理を実行する上において必要なデータなども適宜記憶される。
【０２１３】
CPU３０１、ROM３０２、およびRAM３０３は、バス３０４を介して相互に接続されている。このバス３０４にはまた、入出力インタフェース３０５も接続されている。
【０２１４】
入出力インタフェース３０５には、キーボード、マウスなどよりなる入力部３０６、ディスプレイなどよりなる出力部３０７、ハードディスクなどより構成される記憶部３０８、および、モデム、ターミナルアダプタなどより構成される通信部３０９が接続されている。通信部３０９は、インターネットを含むネットワークを介して他の装置（図示せず）との間で行う通信を制御する。
【０２１５】
入出力インタフェース３０５にはまた、必要に応じてドライブ３１０が接続され、磁気ディスク、光ディスク、光磁気ディスク、或いは半導体メモリなどよりなるリムーバブルメディア３１１が適宜装着され、それらから読み出されたコンピュータプログラムが、必要に応じて記憶部３０８にインストールされる。
【０２１６】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０２１７】
このようなプログラムを含む記録媒体は、図２３に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)，ブルーレイディスクを含む）、光磁気ディスク（ＭＤ（Mini-Disk）を含む）、もしくは半導体メモリなどよりなるリムーバブルメディア（パッケージメディア）３１１により構成されるだけでなく、装置本体に予め組み込まれた状態でユーザに提供される、プログラムが記録されているROM３０２や、記憶部３０８に含まれるハードディスクなどで構成される。
【０２１８】
本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【０２１９】
また、本発明の実施の形態は、上述した実施の形態に限定されるものではなく、本発明の要旨を逸脱しない範囲において種々の変更が可能である。
【符号の説明】
【０２２０】
５０  受信システム，  ５８  スペクトル反転器，  ６０  データ復号化処理部，  ６１  出力部，  ７１  相関器，  ７２  反転相関器，  ７４  スペクトル反転器，  ７６  FFT演算部，  ７７  CDS相関器，  ７８  デコード部，  １５３  比較部，  １５４  選択部，  １５５  出力部，  ２０１  比較部，  ２０６  ＡＮＤ回路，  ２５０  受信システム，  ２６１  相関器，  ２８２  切替部，  ２９０  受信システム，  ２９１  記録制御部
【図１】
0005493802.tif 000002
【図２】
0005493802.tif 000003
【図３】
0005493802.tif 000004
【図４】
0005493802.tif 000005
【図５】
0005493802.tif 000006
【図６】
0005493802.tif 000007
【図７】
0005493802.tif 000008
【図８】
0005493802.tif 000009
【図９】
0005493802.tif 000010
【図１０】
0005493802.tif 000011
【図１１】
0005493802.tif 000012
【図１２】
0005493802.tif 000013
【図１３】
0005493802.tif 000014
【図１４】
0005493802.tif 000015
【図１５】
0005493802.tif 000016
【図１６】
0005493802.tif 000017
【図１７】
0005493802.tif 000018
【図１８】
0005493802.tif 000019
【図１９】
0005493802.tif 000020
【図２０】
0005493802.tif 000021
【図２１】
0005493802.tif 000022
【図２２】
0005493802.tif 000023
【図２３】
0005493802.tif 000024